(57)【特許請求の範囲】
【請求項１】
映像音声再生装置と、
映像を表示する表示部と、
前記映像音声再生装置に通信媒体を介して接続された音声出力制御装置とを備え、
前記映像音声再生装置は、
音声データを取得する音声データ取得部と、
前記音声出力制御装置の音量操作を示す音量操作情報を取得する音量操作情報取得部と、
前記音声データ取得部により取得された音声データを前記通信媒体を介して前記音声出力制御装置に送信し、前記通信媒体を介して前記音声出力制御装置とコマンドの送受信を行う第１の送受信部と、
前記音声出力制御装置の音量制御に関する音量制御状態データを記憶する記憶部と、
前記表示部および前記第１の送受信部を制御する第１の制御部とを含み、
前記音量制御状態データは、前記音声出力制御装置の音量調節可能な範囲の最大値を示す最大音量値データと、前記音声出力制御装置の音量を示す音量設定値データとを含み、
前記音声出力制御装置は、
前記映像音声再生装置から前記通信媒体を介して音声データを受信し、前記通信媒体を介して前記映像音声再生装置とコマンドの送受信を行う第２の送受信部と、
前記第２の送受信部により受信された音声データに基づいて音声信号を出力する増幅器と、
前記第２の送受信部および前記増幅器を制御するとともに、予め定められたタイミングで、前記音声出力制御装置の現在の音量制御状態データを前記第２の送受信部を介して前記映像音声再生装置に送信する第２の制御部とを含み、
前記第１の制御部は、前記音声出力制御装置から前記第１の送受信部を介して音量制御状態データを受信した場合に、前記記憶部に記憶される音量制御状態データを受信した音量制御状態データにより更新し、前記音量操作情報取得部により音量操作情報が取得された場合に、取得された音量操作情報および前記記憶部に記憶された音量制御状態データに基づいて操作後の音量設定値データを決定し、決定された音量設定値データを含むコマンドを前記第１の送受信部を介して前記音声出力制御装置に送信するとともに、前記決定された音量設定値データおよび前記記憶部に記憶された最大音量値データに基づいて、前記音声出力制御装置の音量調節可能な範囲の最大値に対する前記音声出力制御装置の現在の音量の割合を前記表示部に表示させ、
前記第２の制御部は、前記映像音声再生装置から前記第２の送受信部を介して音量設定値データを含むコマンドを受信した場合に、受信した音量設定値データに基づいて前記増幅器の音量を制御する、ホームシアターシステム。
【請求項２】
前記第１の制御部は、前記現在の音量の割合を前記表示部にバーで表示させる、請求項１記載のホームシアターシステム。
【請求項３】
前記バーは、前記音声出力制御装置の音量調節可能な範囲の最大値に相当する長さを有する第１のバーと、前記現在の音量に相当する長さを有する第２のバーとを含む、請求項２記載のホームシアターシステム。
【請求項４】
前記第１の制御部は、前記音量操作情報取得部により音量操作情報が取得された場合に、前記記憶部に記憶された音量設定値データを前記決定された音量設定値データにより更新する、請求項１記載のホームシアターシステム。
【請求項５】
前記映像音声再生装置は、前記音声出力制御装置に音声データを送信するシアターモードに設定可能に構成され、
前記予め定められたタイミングは、前記映像音声再生装置がシアターモードに設定されたときを含み、
前記第２の制御部は、前記映像音声再生装置がシアターモードに設定されたときに、前記音声出力制御装置の現在の音量制御状態データを前記第２の送受信部を介して前記映像音声再生装置に送信する、請求項１記載のホームシアターシステム。
【請求項６】
前記音声出力制御装置は、前記増幅器の音量操作に用いられる音量操作部をさらに含み、
前記予め定められたタイミングは、前記音量操作部により音量操作が行われたときを含み、
前記第２の制御部は、前記音量操作部により音量操作が行われたときに、前記音量操作部による音量操作に基づいて前記音声出力制御装置の音量設定値データを決定し、決定された音量設定値データを含むコマンドを前記第２の送受信部を介して前記音声出力制御装置に送信し、
前記第１の制御部は、前記音声出力制御装置から前記第１の送受信部を介して音量設定値データを含むコマンドを受信した場合に、前記記憶部に記憶された音量設定値データを受信した音量設定値データにより更新する、請求項１記載のホームシアターシステム。
【請求項７】
前記音量制御状態データは、前記音声出力制御装置が消音状態に設定されているか否かを示す消音設定状態データをさらに含む、請求項１記載のホームシアターシステム。
【請求項８】
前記第１の制御部は、前記音量操作情報取得部により取得される音量操作情報が音量の増加または減少を示す場合に、音量設定値データが１よりも大きい値ずつ増加または減少するように音量設定値データを決定する、請求項１記載のホームシアターシステム。
【請求項９】
音声出力制御装置に通信媒体を介して接続されるとともに表示部に接続される映像音声再生装置であって、
音声データを取得する音声データ取得部と、
前記音声出力制御装置の音量操作を示す音量操作情報を取得する音量操作情報取得部と、
前記音声データ取得部により取得された音声データを前記通信媒体を介して前記音声出力制御装置に送信し、前記通信媒体を介して前記音声出力制御装置とコマンドの送受信を行う送受信部と、
前記音声出力制御装置の音量制御に関する音量制御状態データを記憶する記憶部と、
前記表示部および前記送受信部を制御する制御部とを備え、
前記音量制御状態データは、前記音声出力制御装置の音量調節可能な範囲の最大値を示す最大音量値データと、前記音声出力制御装置の音量を示す音量設定値データとを含み、
前記制御部は、前記音声出力制御装置から前記送受信部を介して音量制御状態データを受信した場合に、前記記憶部に記憶される音量制御状態データを受信した音量制御状態データにより更新し、前記音量操作情報取得部により音量操作情報が取得された場合に、取得された音量操作情報および前記記憶部に記憶された音量制御状態データに基づいて操作後の音量設定値データを決定し、決定された音量設定値データを含むコマンドを前記送受信部を介して前記音声出力制御装置に送信するとともに、前記決定された音量設定値データおよび前記記憶部に記憶された最大音量値データに基づいて、前記音声出力制御装置の音量調節可能な範囲の最大値に対する前記音声出力制御装置の現在の音量の割合を前記表示部に表示させる、映像音声再生装置。
【請求項１０】
映像音声再生装置、表示部、および前記映像音声再生装置に通信媒体を介して接続された音声出力制御装置を備えたホームシアターシステムにおいて前記音声出力制御装置の音量を制御する音量制御方法であって、
前記映像音声再生装置において音声データを取得するステップと、
前記取得された音声データを前記映像音声再生装置から前記通信媒体を介して前記音声出力制御装置に送信するステップと、
前記音声出力制御装置において前記映像音声再生装置から前記通信媒体を介して音声データを受信するステップと、
前記音声出力制御装置おいて受信された音声データに基づいて増幅器から音声信号を出力するステップと、
前記映像音声再生装置において前記音声出力制御装置の音量調節可能な範囲の最大値を示す最大音量値データおよび前記音声出力制御装置の音量を示す音量設定値データを含む音量制御状態データを記憶部に記憶するステップと、
前記音声出力制御装置において、予め定められたタイミングで、前記音声出力制御装置の現在の音量制御状態データを前記映像音声再生装置に送信するステップと、
前記映像音声再生装置において前記音声出力制御装置から音量制御状態データを受信した場合に、前記記憶部に記憶される音量制御状態データを受信した音量制御状態データにより更新するステップと、
前記映像音声再生装置において前記音声出力制御装置の音量操作を示す音量操作情報を取得するステップと、
前記映像音声再生装置において、取得された音量操作情報および前記記憶部に記憶された音量制御状態データに基づいて操作後の音量設定値データを決定するステップと、
前記決定された音量設定値データを含むコマンドを前記映像音声再生装置から前記音声出力制御装置に送信するステップと、
前記決定された音量設定値データおよび前記記憶部に記憶された最大音量値データに基づいて、前記音声出力制御装置の音量調節可能な範囲の最大値に対する前記音声出力制御装置の現在の音量の割合を前記表示部に表示させるステップと、
前記音声出力制御装置において、前記映像音声再生装置から音量設定値データを含むコマンドを受信した場合に、受信した音量設定値データに基づいて前記増幅器の音量を制御するステップとを含む、音量制御方法。
【請求項１１】
音声出力制御装置に通信媒体を介して接続されるとともに表示部に接続される映像音声再生装置において前記音声出力制御装置の音量を制御する音量制御方法であって、
音声データを取得するステップと、
前記取得された音声データを前記通信媒体を介して前記音声出力制御装置に送信するステップと、
前記音声出力制御装置の音量調節可能な範囲の最大値を示す最大音量値データおよび前記音声出力制御装置の音量を示す音量設定値データを含む音量制御状態データを記憶部に記憶するステップと、
前記音声出力制御装置から音量制御状態データを受信した場合に、前記記憶部に記憶される音量制御状態データを受信した音量制御状態データにより更新するステップと、
前記音声出力制御装置の音量操作を示す音量操作情報を取得するステップと、
前記取得された音量操作情報および前記記憶部に記憶された音量制御状態データに基づいて操作後の音量設定値データを決定するステップと、
前記決定された音量設定値データを含むコマンドを前記音声出力制御装置に送信するステップと、
前記決定された音量設定値データおよび前記記憶部に記憶された最大音量値データに基づいて、前記音声出力制御装置の音量調節可能な範囲の最大値に対する前記音声出力制御装置の現在の音量の割合を前記表示部に表示させるステップとを含む、音量制御方法。
【発明の詳細な説明】
【技術分野】
【０００１】
本発明は、ホームシアターシステム、映像音声再生装置および音声出力制御装置ならびにそれらの音量制御方法に関する。
【背景技術】
【０００２】
地上波デジタル放送またはデジタル衛星放送等のデジタルテレビ放送では、ハイビジョン映像信号と呼ばれる高精細の映像信号が送信される。また、デジタルテレビ放送で送信される音声信号は、サラウンドと呼ばれる立体音響再生に対応している。具体的には、このような音声信号は、５．１チャンネルサラウンド方式の立体音響再生を可能としている。
【０００３】
５．１チャンネルは、フロント（左および右）、センター、およびサラウンド（左および右）の合計５個のスピーカー（５チャンネル）と、超低音用のサブウーハースピーカー（０．１チャンネル）とで構成される。
【０００４】
５．１チャンネルサラウンド方式に対応したホームシアターシステムでは、利用者の正面に表示画面を有するデジタル放送対応テレビ受信機（以下、デジタルテレビ受信装置という）が設置される。利用者の前方の左右にフロントスピーカーが設置される。利用者の正面にセンタースピーカーが配置される。サブウーハースピーカーは、利用者の前方の適当な場所に設置される。利用者の後方の左右にサラウンドスピーカーが設置される。
【０００５】
デジタルテレビ放送の音声を５．１チャンネルサラウンド方式で再生するために、アンプを内蔵するホームシアター装置がデジタルテレビ受信装置にＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠するＨＤＭＩケーブルで接続される。ＨＤＭＩケーブルは、映像・音声データ（映像データおよび音声データ）を送受信するデータ線と、機器間制御を行うＣＥＣ（Ｃｏｎｓｕｍｅｒ  Ｅｌｅｃｔｒｏｎｉｃ  Ｃｏｎｔｒｏｌ）コマンドを送受信するＣＥＣ信号線とから構成される。ホームシアター装置には、上記の６個のスピーカーが接続される。
【０００６】
従来より、ＨＤＭＩ規格に準拠したＣＥＣコマンドを利用して音声再生機能を向上させる手法が提案されている。
【０００７】
例えば、特許文献１に記載された音声制御システムでは、テレビジョン受信機にヘッドホンが接続されているか否かに応じてＡＶ（Ａｕｄｉｏ  Ｖｉｓｕａｌ）アンプにＨＤＭＩのＣＥＣライン経由で制御信号が送信される。それにより、音声出力の可否が制御される。
【０００８】
また、特許文献２に記載された音量補正回路システムでは、ＨＤＭＩ対応のＳＴＢ（セットトップボックス）からＨＤＭＩケーブルを通してＨＤＭＩ対応のテレビに制御信号が送信される。それにより、ＳＴＢの種類に応じてテレビの音声信号の増幅度が調整される。
【０００９】
さらに、特許文献３には、ＨＤＭＩソース機器を含む複数の外部装置が接続される出力装置が記載される。ＨＤＭＩソース機器に入力されるＨＤＭＩ信号に音声信号が含まれない場合には、出力装置の操作部による音量操作が無効にされる。
【特許文献１】特開２００９−０２７６７８号公報
【特許文献２】特開２００６−３５２５９９号公報
【特許文献３】特開２００９−０８８６４６号公報
【発明の開示】
【発明が解決しようとする課題】
【００１０】
上記のように、ＨＤＭＩを介して接続された機器間でのＣＥＣコマンドの送受信による種々の音声再生機能が提案されている。しかしながら、ホームシアターシステムにおいて、音量操作の操作性および応答性の向上ならびに高精度の音量調節を可能とする技術については、提案されていない。
【００１１】
本発明の目的は、音量操作の操作性および応答性の向上ならびに高精度の音量調節を可能とするホームシアターシステム、映像音声再生装置および音声出力制御装置ならびに音量制御方法を提供することである。
【課題を解決するための手段】
【００１２】
（１）本発明の一局面に従うホームシアターシステムは、映像音声再生装置と、映像を表示する表示部と、映像音声再生装置に通信媒体を介して接続された音声出力制御装置とを備え、映像音声再生装置は、音声データを取得する音声データ取得部と、音声出力制御装置の音量操作を示す音量操作情報を取得する音量操作情報取得部と、音声データ取得部により取得された音声データを通信媒体を介して音声出力制御装置に送信し、通信媒体を介して音声出力制御装置とコマンドの送受信を行う第１の送受信部と、音声出力制御装置の音量制御に関する音量制御状態データを記憶する記憶部と、表示部および第１の送受信部を制御する第１の制御部とを含み、音量制御状態データは、音声出力制御装置の音量調節可能な範囲の最大値を示す最大音量値データと、音声出力制御装置の音量を示す音量設定値データとを含み、音声出力制御装置は、映像音声再生装置から通信媒体を介して音声データを受信し、通信媒体を介して映像音声再生装置とコマンドの送受信を行う第２の送受信部と、第２の送受信部により受信された音声データに基づいて音声信号を出力する増幅器と、第２の送受信部および増幅器を制御するとともに、予め定められたタイミングで、音声出力制御装置の現在の音量制御状態データを第２の送受信部を介して映像音声再生装置に送信する第２の制御部とを含み、第１の制御部は、音声出力制御装置から第１の送受信部を介して音量制御状態データを受信した場合に、記憶部に記憶される音量制御状態データを受信した音量制御状態データにより更新し、音量操作情報取得部により音量操作情報が取得された場合に、取得された音量操作情報および記憶部に記憶された音量制御状態データに基づいて操作後の音量設定値データを決定し、決定された音量設定値データを含むコマンドを第１の送受信部を介して音声出力制御装置に送信するとともに、決定された音量設定値データおよび記憶部に記憶された最大音量値データに基づいて、音声出力制御装置の音量調節可能な範囲の最大値に対する音声出力制御装置の現在の音量の割合を表示部に表示させ、第２の制御部は、映像音声再生装置から第２の送受信部を介して音量設定値データを含むコマンドを受信した場合に、受信した音量設定値データに基づいて増幅器の音量を制御するものである。
【００１３】
このホームシアターシステムにおいては、映像音声再生装置の記憶部に音量制御状態データが記憶される。音声出力制御装置の第２の制御部は、予め定められたタイミングで、音声出力制御装置の現在の音量制御状態データを第２の送受信部を介して映像音声再生装置に送信する。
【００１４】
映像音声再生装置の第１の制御部は、音声出力制御装置から第１の送受信部を介して音量制御状態データを受信した場合に、記憶部に記憶される音量制御状態データを受信した音量制御状態データにより更新する。また、第１の制御部は、音量操作情報取得部により音量操作情報が取得された場合に、取得された音量操作情報および記憶部に記憶された音量制御状態データに基づいて操作後の音量設定値データを決定し、決定された音量設定値データを含むコマンドを第１の送受信部を介して音声出力制御装置に送信する。さらに、第１の制御部は、決定された音量設定値データおよび記憶部に記憶された最大音量値データに基づいて、音声出力制御装置の音量調節可能な範囲の最大値に対する音声出力制御装置の現在の音量の割合を表示部に表示させる。
【００１５】
音声出力制御装置の第２の制御部は、映像音声再生装置から第２の送受信部を介して音量設定値データを含むコマンドを受信した場合に、受信した音量設定値データに基づいて増幅器の音量を制御する。
【００１６】
このように、映像音声再生装置の記憶部に音声出力制御装置の現在の音量制御状態データが記憶される。そのため、音量操作時に、第１の制御部は、記憶部に記憶された音量設定値データから音声出力制御装置の現在の音量を認識することができる。それにより、第１の制御部は、音声出力制御装置から現在の音量を取得することなく、音量設定値データを決定することができる。したがって、音量操作時に、映像音声再生装置と音声出力制御装置との間でのコマンドの送受信の回数を低減することができる。その結果、音量調節の応答性を高くすることができる。
【００１７】
また、第１の制御部は、記憶部に記憶された最大音量値データから音声出力制御装置の音量調節可能な範囲の最大値を認識することができる。それにより、音声出力制御装置の音量調節可能な範囲の最大値に対する音声出力制御装置の現在の音量の割合を表示部に表示させることができる。したがって、利用者は、音声出力制御装置の最大音量に対する現在の音量を相対的に把握することができる。その結果、利用者は、音声出力制御装置の種類にかかわらず、現在の音量を直感的に把握することができる。
【００１８】
この場合、第１の制御部は、音声出力制御装置とコマンドの送受信を行うことなく、現在の音量の割合を表示させることができる。それにより、音量表示の速度が速くなる。したがって、音声出力制御装置の音量変化が表示部の音量表示の変化に即座に反映される。
【００１９】
これらの結果、音量操作の操作性および応答性が向上するとともに、高精度の音量調節が可能となる。
【００２０】
（２）第１の制御部は、現在の音量の割合を表示部にバーで表示させてもよい。この場合、利用者は、現在の音量を直感的かつ視覚的に把握することができる。
【００２１】
（３）バーは、音声出力制御装置の音量調節可能な範囲の最大値に相当する長さを有する第１のバーと、現在の音量に相当する長さを有する第２のバーとを含んでもよい。
【００２２】
この場合、利用者は、第１のバーの長さに対する第２のバーの長さの割合に基づいて、現在の音量を直感的かつ視覚的に把握することができる。
【００２３】
（４）第１の制御部は、音量操作情報取得部により音量操作情報が取得された場合に、記憶部に記憶された音量設定値データを決定された音量設定値データにより更新してもよい。
【００２４】
これにより、音量操作により音声出力制御装置の音量が変化した場合に、記憶部に最新の音量設定値データが記憶される。したがって、音量操作の連続性を維持することができる。
【００２５】
（５）映像音声再生装置は、音声出力制御装置に音声データを送信するシアターモードに設定可能に構成され、予め定められたタイミングは、映像音声再生装置がシアターモードに設定されたときを含み、第２の制御部は、映像音声再生装置がシアターモードに設定されたときに、音声出力制御装置の現在の音量制御状態データを第２の送受信部を介して映像音声再生装置に送信してもよい。
【００２６】
この場合、映像音声再生装置がシアターモードに設定されたときに、記憶部に記憶される音量制御状態データが最新の音量制御状態データに更新される。それにより、音量操作時に、映像音声再生装置は、音声出力制御装置とコマンドの送受信を行うことなく、最新の音量制御状態データに基づいて音量設定値データの決定および音量表示を行うことができる。その結果、高精度の音量調節が可能となる。
【００２７】
（６）音声出力制御装置は、増幅器の音量操作に用いられる音量操作部をさらに含み、予め定められたタイミングは、音量操作部により音量操作が行われたときを含み、第２の制御部は、音量操作部により音量操作が行われたときに、音量操作部による音量操作に基づいて音声出力制御装置の音量設定値データを決定し、決定された音量設定値データを含むコマンドを第２の送受信部を介して音声出力制御装置に送信し、第１の制御部は、音声出力制御装置から第１の送受信部を介して音量設定値データを含むコマンドを受信した場合に、記憶部に記憶された音量設定値データを受信した音量設定値データにより更新してもよい。
【００２８】
このような構成により、映像音声再生装置の側だけでなく、音声出力制御装置の側でも、音声出力制御装置の音量操作を行うことが可能となる。この場合、音声出力制御装置から映像音声再生装置に音量操作後の音量設定値データが送信されるので、記憶部に最新の音量設定値データが記憶される。その結果、音声出力制御装置の側で音量操作を行った後に映像音声再生装置の側で音量操作を行う場合でも、音量操作の連続性を維持することができる。
【００２９】
（７）音量制御状態データは、音声出力制御装置が消音状態に設定されているか否かを示す消音設定状態データをさらに含んでもよい。
【００３０】
この場合、映像音声再生装置の第１の制御部は、音声出力制御装置から音量制御状態データを受信することにより、最大音量値データおよび音量設定値データと同時に音声出力制御装置の消音設定状態データを取得することができる。それにより、映像音声再生装置と音声出力制御装置との間で少ない回数のコマンドの送受信により映像音声再生装置が音声出力制御装置の状態を把握することができる。その結果、操作応答性が向上する。
【００３１】
（８）第１の制御部は、音量操作情報取得部により取得される音量操作情報が音量の増加または減少を示す場合に、音量設定値データが１よりも大きい値ずつ増加または減少するように音量設定値データを決定してもよい。
【００３２】
この場合、音量設定値データの送受信の回数が低減されるので、コマンドの送信時間を短縮することができる。その結果、音量操作の速度を高めることが可能となる。
【００３３】
（９）本発明の他の局面に従う映像音声再生装置は、音声出力制御装置に通信媒体を介して接続されるとともに表示部に接続される映像音声再生装置であって、音声データを取得する音声データ取得部と、音声出力制御装置の音量操作を示す音量操作情報を取得する音量操作情報取得部と、音声データ取得部により取得された音声データを通信媒体を介して音声出力制御装置に送信し、通信媒体を介して音声出力制御装置とコマンドの送受信を行う送受信部と、音声出力制御装置の音量制御に関する音量制御状態データを記憶する記憶部と、表示部および送受信部を制御する制御部とを備え、音量制御状態データは、音声出力制御装置の音量調節可能な範囲の最大値を示す最大音量値データと、音声出力制御装置の音量を示す音量設定値データとを含み、制御部は、音声出力制御装置から送受信部を介して音量制御状態データを受信した場合に、記憶部に記憶される音量制御状態データを受信した音量制御状態データにより更新し、音量操作情報取得部により音量操作情報が取得された場合に、取得された音量操作情報および記憶部に記憶された音量制御状態データに基づいて操作後の音量設定値データを決定し、決定された音量設定値データを含むコマンドを送受信部を介して音声出力制御装置に送信するとともに、決定された音量設定値データおよび記憶部に記憶された最大音量値データに基づいて、音声出力制御装置の音量調節可能な範囲の最大値に対する音声出力制御装置の現在の音量の割合を表示部に表示させるものである。
【００３４】
この映像音声再生装置においては、記憶部に音声出力制御装置の現在の音量制御状態データが記憶される。そのため、音量操作時に、制御部は、記憶部に記憶された音量設定値データから音声出力制御装置の現在の音量を認識することができる。それにより、制御部は、音声出力制御装置から現在の音量を取得することなく、音量設定値データを決定することができる。したがって、音量操作時に、映像音声再生装置と音声出力制御装置との間でのコマンドの送受信の回数を低減することができる。その結果、音量調節の応答性を高くすることができる。
【００３５】
また、制御部は、記憶部に記憶された最大音量値データから音声出力制御装置の音量調節可能な範囲の最大値を認識することができる。それにより、音声出力制御装置の音量調節可能な範囲の最大値に対する音声出力制御装置の現在の音量の割合を表示部に表示させることができる。したがって、利用者は、音声出力制御装置の最大音量に対する現在の音量を相対的に把握することができる。その結果、利用者は、音声出力制御装置の種類にかかわらず、現在の音量を直感的に把握することができる。
【００３６】
この場合、制御部は、音声出力制御装置とコマンドの送受信を行うことなく、現在の音量の割合を表示させることができる。それにより、音量表示の速度が速くなる。したがって、音声出力制御装置の音量変化が表示部の音量表示の変化に即座に反映される。
【００３７】
これらの結果、音量操作の操作性および応答性が向上するとともに、高精度の音量調節が可能となる。
【００３８】
（１０）本発明のさらに他の局面に従う音声出力制御装置は、映像音声再生装置に通信媒体を介して接続される音声出力制御装置であって、映像音声再生装置から通信媒体を介して音声データを受信し、通信媒体を介して映像音声再生装置とコマンドの送受信を行う送受信部と、送受信部により受信された音声データに基づいて音声信号を出力する増幅器と、送受信部および増幅器を制御するとともに、予め定められたタイミングで、音声出力制御装置の現在の音量制御状態データを送受信部を介して映像音声再生装置に送信する制御部とを備え、音量制御状態データは、音声出力制御装置の音量調節可能な範囲の最大値を示す最大音量値データと、音声出力制御装置の音量を示す音量設定値データとを含み、制御部は、映像音声再生装置から送受信部を介して音量設定値データを含むコマンドを受信した場合に、受信した音量設定値データに基づいて増幅器の音量を制御するものである。
【００３９】
この音声出力制御装置によれば、映像音声再生装置が音声出力制御装置の現在の音量制御状態データを記憶することができる。そのため、音量操作時に、映像音声再生装置は、記憶された音量設定値データから音声出力制御装置の現在の音量を認識することができる。それにより、映像音声再生装置は、音声出力制御装置から現在の音量を取得することなく、音量設定値データを決定することができる。したがって、音量操作時に、映像音声再生装置と音声出力制御装置との間でのコマンドの送受信の回数を低減することができる。その結果、音量調節の応答性を高くすることができる。
【００４０】
また、映像音声再生装置は、記憶された最大音量値データから音声出力制御装置の音量調節可能な範囲の最大値を認識することができる。それにより、映像音声再生装置は、音声出力制御装置の音量調節可能な範囲の最大値に対する音声出力制御装置の現在の音量の割合を表示部に表示させることができる。したがって、利用者は、音声出力制御装置の最大音量に対する現在の音量を相対的に把握することができる。その結果、利用者は、音声出力制御装置の種類にかかわらず、現在の音量を直感的に把握することができる。
【００４１】
この場合、映像音声再生装置は、音声出力制御装置とコマンドの送受信を行うことなく、現在の音量の割合を表示させることができる。それにより、音量表示の速度が速くなる。したがって、音声出力制御装置の音量変化が表示部の音量表示の変化に即座に反映される。
【００４２】
これらの結果、音量操作の操作性および応答性が向上するとともに、高精度の音量調節が可能となる。
【００４３】
（１１）本発明のさらに他の局面に従う音量制御方法は、映像音声再生装置、表示部、および映像音声再生装置に通信媒体を介して接続された音声出力制御装置を備えたホームシアターシステムにおいて音声出力制御装置の音量を制御する音量制御方法であって、映像音声再生装置において音声データを取得するステップと、取得された音声データを映像音声再生装置から通信媒体を介して音声出力制御装置に送信するステップと、音声出力制御装置において映像音声再生装置から通信媒体を介して音声データを受信するステップと、音声出力制御装置おいて受信された音声データに基づいて増幅器から音声信号を出力するステップと、映像音声再生装置において音声出力制御装置の音量調節可能な範囲の最大値を示す最大音量値データおよび音声出力制御装置の音量を示す音量設定値データを含む音量制御状態データを記憶部に記憶するステップと、音声出力制御装置において、予め定められたタイミングで、音声出力制御装置の現在の音量制御状態データを音声出力制御装置から映像音声再生装置に送信するステップと、映像音声再生装置において音声出力制御装置から音量制御状態データを受信した場合に、記憶部に記憶される音量制御状態データを受信した音量制御状態データにより更新するステップと、映像音声再生装置において音声出力制御装置の音量操作を示す音量操作情報を取得するステップと、映像音声再生装置において、取得された音量操作情報および記憶部に記憶された音量制御状態データに基づいて操作後の音量設定値データを決定するステップと、決定された音量設定値データを含むコマンドを映像音声再生装置から音声出力制御装置に送信するステップと、決定された音量設定値データおよび記憶部に記憶された最大音量値データに基づいて、音声出力制御装置の音量調節可能な範囲の最大値に対する音声出力制御装置の現在の音量の割合を表示部に表示させるステップと、音声出力制御装置において、映像音声再生装置から音量設定値データを含むコマンドを受信した場合に、受信した音量設定値データに基づいて増幅器の音量を制御するステップとを含むものである。
【００４４】
この音量制御方法においては、映像音声再生装置の記憶部に音声出力制御装置の現在の音量制御状態データが記憶される。そのため、音量操作時に、映像音声再生装置は、記憶部に記憶された音量設定値データから音声出力制御装置の現在の音量を認識することができる。それにより、映像音声再生装置は、音声出力制御装置から現在の音量を取得することなく、音量設定値データを決定することができる。したがって、音量操作時に、映像音声再生装置と音声出力制御装置との間でのコマンドの送受信の回数を低減することができる。その結果、音量調節の応答性を高くすることができる。
【００４５】
また、映像音声再生装置は、記憶部に記憶された最大音量値データから音声出力制御装置の音量調節可能な範囲の最大値を認識することができる。それにより、音声出力制御装置の音量調節可能な範囲の最大値に対する音声出力制御装置の現在の音量の割合を表示部に表示させることができる。したがって、利用者は、音声出力制御装置の最大音量に対する現在の音量を相対的に把握することができる。その結果、利用者は、音声出力制御装置の種類にかかわらず、現在の音量を直感的に把握することができる。
【００４６】
この場合、映像音声再生装置は、音声出力制御装置とコマンドの送受信を行うことなく、現在の音量の割合を表示させることができる。それにより、音量表示の速度が速くなる。したがって、音声出力制御装置の音量変化が表示部の音量表示の変化に即座に反映される。
【００４７】
これらの結果、音量操作の操作性および応答性が向上するとともに、高精度の音量調節が可能となる。
【００４８】
（１２）本発明のさらに他の局面に従う音量制御方法は、音声出力制御装置に通信媒体を介して接続されるとともに表示部に接続される映像音声再生装置において音声出力制御装置の音量を制御する音量制御方法であって、音声データを取得するステップと、取得された音声データを通信媒体を介して音声出力制御装置に送信するステップと、音声出力制御装置の音量調節可能な範囲の最大値を示す最大音量値データおよび音声出力制御装置の音量を示す音量設定値データを含む音量制御状態データを記憶部に記憶するステップと、音声出力制御装置から音量制御状態データを受信した場合に、記憶部に記憶される音量制御状態データを受信した音量制御状態データにより更新するステップと、音声出力制御装置の音量操作を示す音量操作情報を取得するステップと、取得された音量操作情報および記憶部に記憶された音量制御状態データに基づいて操作後の音量設定値データを決定するステップと、決定された音量設定値データを含むコマンドを音声出力制御装置に送信するステップと、決定された音量設定値データおよび記憶部に記憶された最大音量値データに基づいて、音声出力制御装置の音量調節可能な範囲の最大値に対する音声出力制御装置の現在の音量の割合を表示部に表示させるステップとを含むものである。
【００４９】
この音量制御方法においては、映像音声再生装置の記憶部に音声出力制御装置の現在の音量制御状態データが記憶される。そのため、音量操作時に、映像音声再生装置は、記憶部に記憶された音量設定値データから音声出力制御装置の現在の音量を認識することができる。それにより、映像音声再生装置は、音声出力制御装置から現在の音量を取得することなく、音量設定値データを決定することができる。したがって、音量操作時に、映像音声再生装置と音声出力制御装置との間でのコマンドの送受信の回数を低減することができる。その結果、音量調節の応答性を高くすることができる。
【００５０】
また、映像音声再生装置は、記憶部に記憶された最大音量値データから音声出力制御装置の音量調節可能な範囲の最大値を認識することができる。それにより、音声出力制御装置の音量調節可能な範囲の最大値に対する音声出力制御装置の現在の音量の割合を表示部に表示させることができる。したがって、利用者は、音声出力制御装置の最大音量に対する現在の音量を相対的に把握することができる。その結果、利用者は、音声出力制御装置の種類にかかわらず、現在の音量を直感的に把握することができる。
【００５１】
この場合、映像音声再生装置は、音声出力制御装置とコマンドの送受信を行うことなく、現在の音量の割合を表示させることができる。それにより、音量表示の速度が速くなる。したがって、音声出力制御装置の音量変化が表示部の音量表示の変化に即座に反映される。
【００５２】
これらの結果、音量操作の操作性および応答性が向上するとともに、高精度の音量調節が可能となる。
【００５３】
（１３）本発明のさらに他の局面に従う音量制御方法は、映像音声再生装置に通信媒体を介して接続される音声出力制御装置において音量を制御する音量制御方法であって、映像音声再生装置から通信媒体を介して音声データを受信するステップと、受信された音声データに基づいて増幅器から音声信号を出力するステップと、予め定められたタイミングで、音声出力制御装置の音量調節可能な範囲の最大値を示す最大音量値データおよび音声出力制御装置の音量を示す音量設定値データを含む音量制御状態データを映像音声再生装置に送信するステップと、映像音声再生装置から音量設定値データを含むコマンドを受信した場合に、受信した音量設定値データに基づいて増幅器の音量を制御するステップとを含むものである。
【００５４】
この音量制御方法によれば、映像音声再生装置が音声出力制御装置の現在の音量制御状態データを記憶することができる。そのため、音量操作時に、映像音声再生装置は、記憶された音量設定値データから音声出力制御装置の現在の音量を認識することができる。それにより、映像音声再生装置は、音声出力制御装置から現在の音量を取得することなく、音量設定値データを決定することができる。したがって、音量操作時に、映像音声再生装置と音声出力制御装置との間でのコマンドの送受信の回数を低減することができる。その結果、音量調節の応答性を高くすることができる。
【００５５】
また、映像音声再生装置は、記憶された最大音量値データから音声出力制御装置の音量調節可能な範囲の最大値を認識することができる。それにより、映像音声再生装置は、音声出力制御装置の音量調節可能な範囲の最大値に対する音声出力制御装置の現在の音量の割合を表示部に表示させることができる。したがって、利用者は、音声出力制御装置の最大音量に対する現在の音量を相対的に把握することができる。その結果、利用者は、音声出力制御装置の種類にかかわらず、現在の音量を直感的に把握することができる。
【００５６】
この場合、映像音声再生装置は、音声出力制御装置とコマンドの送受信を行うことなく、現在の音量の割合を表示させることができる。それにより、音量表示の速度が速くなる。したがって、音声出力制御装置の音量変化が表示部の音量表示の変化に即座に反映される。
【００５７】
これらの結果、音量操作の操作性および応答性が向上するとともに、高精度の音量調節が可能となる。
【発明の効果】
【００５８】
本発明によれば、音量操作の操作性および応答性が向上するとともに、高精度の音量調節が可能となる。
【図面の簡単な説明】
【００５９】
【図１】図１は本発明の第１の実施の形態に係るホームシアターシステムの構成を示すブロック図である。
【図２】図２は図１のホームシアターシステムにおけるデジタルテレビ受信装置およびホームシアター装置の詳細な構成を示すブロック図である。
【図３ａ】図３ａは第１の実施の形態におけるホームシアターシステムの音量バー表示の例を示す図である。
【図３ｂ】図３ｂは第１の実施の形態におけるホームシアターシステムの音量バー表示の例を示す図である。
【図４】図４はシアターモード設定動作時のデジタルテレビ受信装置とホームシアター装置との間のＣＥＣコマンドの送受信を示すシーケンス図である。
【図５】図５は音量操作ボタンの１回押しによる音量調節動作時のデジタルテレビ受信装置とホームシアター装置との間のＣＥＣコマンドの送受信を示すシーケンス図である。
【図６】図６は音量操作ボタンの長押しによる音量調節動作時のデジタルテレビ受信装置とホームシアター装置との間のＣＥＣコマンドの送受信を示すシーケンス図である。
【図７】図７は音量操作ボタンの長押しによる音量調動作作時のデジタルテレビ受信装置とホームシアター装置との間のＣＥＣコマンドの送受信を示すシーケンス図である。
【図８】図８は消音設定動作時のデジタルテレビ受信装置とホームシアター装置との間のＣＥＣコマンドの送受信を示すシーケンス図である。
【図９】図９は本発明の第２の実施の形態に係るホームシアター装置での音量調節操作によるデジタルテレビ受信装置とホームシアター装置との間のＣＥＣコマンドの送受信を示すシーケンス図である。
【図１０】図１０は音量操作ボタンの１回押しによる音量調節動作時のデジタルテレビ受信装置とホームシアター装置との間のＣＥＣコマンドの送受信の参考例を示すシーケンス図である。
【図１１】図１１は音量操作ボタンの長押しによる音量調節動作時のデジタルテレビ受信装置とホームシアター装置との間のＣＥＣコマンドの送受信の参考例を示すシーケンス図である。
【図１２】図１２は消音設定動作時のデジタルテレビ受信装置とホームシアター装置との間のＣＥＣコマンドの送受信の参考例を示すシーケンス図である。
【図１３】図１３は本発明の第３の実施の形態に係るホームシアターシステムの構成を示すブロック図である。
【図１４】図１４は本発明の第４の実施の形態に係るホームシアターシステムの構成を示すブロック図である。
【発明を実施するための最良の形態】
【００６０】
以下、本発明の実施の形態に係るホームシアターシステムについて、図面を参照しながら説明する。
【００６１】
（１）第１の実施の形態
（１−１）ホームシアターシステム１の構成
図１は本発明の第１の実施の形態に係るホームシアターシステム１の構成を示すブロック図である。図１には、室内に配置された５．１チャンネルサラウンド方式に対応したホームシアターシステム１が示される。
【００６２】
図１において、利用者３１０の正面に表示画面を有するデジタル放送対応テレビ受信機（以下、デジタルテレビ受信装置という）１００が設置される。利用者３１０の前方の左右にフロントスピーカー３１１，３１２が設置される。利用者３１０の正面にセンタースピーカー３１３が配置される。サブウーハースピーカー３１４は、利用者３１０の前方の適当な場所に設置される。利用者３１０の後方の左右にサラウンドスピーカー３１５，３１６が設置される。
【００６３】
以下、フロントスピーカー３１１，３１２、センタースピーカー３１３、サブウーハースピーカー３１４およびサラウンドスピーカー３１５，３１６の各々を区別する必要がない場合には、それらを単にスピーカー３１１〜３１６と略記する。
【００６４】
デジタルテレビ受信装置１００には、ステレオ再生用の２個の小型のスピーカーが内蔵される。デジタルテレビ放送の音声を５．１チャンネルサラウンド方式で再生するために、デジタルテレビ受信装置１００にホームシアター装置２００とスピーカー３１１〜３１６とが接続される。それにより、ホームシアターシステム１が構成される。ホームシアターシステム１により、利用者３１０は自宅にいながら、あたかも映画館、コンサートホールまたはスポーツ競技場にいるような臨場感ある立体音響再生を楽しむことが可能となる。
【００６５】
デジタルテレビ受信装置１００とホームシアター装置２００とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠するＨＤＭＩケーブル３２０で接続される。ＨＤＭＩケーブル３２０は、映像・音声データ（映像データおよび音声データ）を送受信するデータ線３２１と、機器間制御を行うＣＥＣ（Ｃｏｎｓｕｍｅｒ  Ｅｌｅｃｔｒｏｎｉｃ  Ｃｏｎｔｒｏｌ）コマンドを送受信するＣＥＣ信号線３２２とから構成される。
【００６６】
ホームシアター装置２００は、５．１チャンネルの音声データを復号し、スピーカー３１１〜３１６を後述するアンプで駆動する。５．１チャンネルの音声データは、放送信号中に含まれ、例えばＡＣ−３（Ａｕｄｉｏ  Ｃｏｄｅ  ｎｕｍｂｅｒ３）方式で圧縮されている。また、ホームシアター装置２００は、デジタルテレビ受信装置１００と連携して利用者３１０によるリモコン装置３０１の操作に従って音量調節および消音等の音量制御を行う。
【００６７】
本実施の形態に係るホームシアターシステム１では、デジタルテレビ受信装置１００の表示部１０３（図２参照）を除く部分が映像音声再生装置として用いられ、ホームシアター装置２００が音声出力制御装置として用いられ、デジタルテレビ受信装置１００の表示部１０３（図２参照）が表示部として用いられる。
【００６８】
（１−２）デジタルテレビ受信装置およびホームシアター装置の構成
図２は図１のホームシアターシステム１におけるデジタルテレビ受信装置１００およびホームシアター装置２００の詳細な構成を示すブロック図である。
【００６９】
デジタルテレビ受信装置１００とホームシアター装置２００とはＨＤＭＩケーブル３２０で接続される。デジタルテレビ受信装置１００は、テレビモードおよびシアターモードに選択的に設定可能である。ホームシアター装置２００は、シアターモードまたは消音状態に選択的に設定可能である。
【００７０】
シアターモードとは、デジタルテレビ受信装置１００により得られる音声データに基づく音声を後述するデジタルテレビ受信装置１００に内蔵されたスピーカーから出力するのではなく、ホームシアター装置２００に接続されたスピーカー３１１〜３１６から出力するモードである。一方、テレビモードとは、デジタルテレビ受信装置１００により得られる音声データに基づく音声を後述する内蔵のスピーカーから出力するモードである。
【００７１】
まず、デジタルテレビ受信装置１００の構成を説明する。図２に示すように、デジタルテレビ受信装置１００は、チューナ１０１、復号部１０２、表示部１０３、音声出力部１０４、ＨＤＭＩ送受信部１０５、ＣＰＵ１０６、メモリ１０７およびリモコン受光部１０８を含む。チューナ１０１および復号部１０２がコンテンツ供給源１１０を構成する。デジタルテレビ受信装置１００には、リモコン装置３０１が付属する。
【００７２】
チューナ１０１は、地上波デジタル放送またはデジタル衛星放送等におけるデジタル放送信号の受信、選局および復調を行い、選択されたコンテンツの映像信号および音声信号を出力する。復号部１０２は、チューナ１０１から出力される映像信号および音声信号を復号し、映像データおよび音声データを出力する。表示部１０３は、復号部１０２から出力される映像データに基づいて画面に映像を表示する。音声出力部１０４は、２つのスピーカーを含み、復号部１０２から出力される音声データに基づいてスピーカーから音声を出力する。
【００７３】
リモコン装置３０１は、音量操作用の音量操作ボタンを有する。音量操作は、音量調節、消音設定および消音解除を含む。音量操作ボタンは、音量を増加させるための音量アップボタン、音量を減少させるための音量ダウンボタン、ならびに消音設定および消音解除を指示するための消音ボタンを含む。利用者３１０は、リモコン装置３０１の音量操作ボタンを用いて音声出力部１０４のスピーカーまたはスピーカー３１１〜３１６の音量操作を行うことができる。この場合、リモコン装置３０１は、音量操作ボタンの操作に応じた音量操作情報を光信号として送信する。リモコン受光部１０８は、リモコン装置３０１からの音量操作情報を光信号として受信すると、その光信号を電気信号に変換し、その電気信号を音量操作情報としてＣＰＵ１０６に与える。
【００７４】
デジタルテレビ受信装置１００がテレビモードに設定されている場合には、ＣＰＵ１０６は、音量操作情報に基づいて、音声出力部１０４のスピーカーから出力される音声の音量を制御するとともに、その制御された音量を表示部１０３にオンスクリーン表示させる。デジタルテレビ受信装置１００がシアターモードに設定されている場合には、ＣＰＵ１０６は、ホームシアター装置２００を通してホームシアターシステム１のスピーカー３１１〜３１６から出力される音声の音量を制御するとともに、その制御された音量を表示部１０３にオンスクリーン表示させる。
【００７５】
メモリ１０７は、現時点のホームシアター装置２００における音量制御に関する状態データ（以下、音量制御状態データと呼ぶ）を記憶する。音量制御状態データは、ホームシアター装置２００における最大音量値データ、音量設定値データおよび消音設定状態データを含む。
【００７６】
最大音量値データとは、ホームシアター装置２００において音量調節可能な範囲の最大値を示すデータである。音量制御状態データが、音量調節可能な範囲の最小値を示す最小音量値データを含んでもよい。音量制御状態データが最小音量値データを含まない場合には、最小音量値データは例えば０である。
【００７７】
音量設定値データとは、ホームシアター装置２００において設定される音量の値（レベル）を示すデータである。消音設定状態データとは、ホームシアター装置２００が消音状態に設定されているか否かを示すデータである。
【００７８】
表示部１０３は、ブラウン管、液晶ディスプレイまたはプラズマディスプレイ等により構成される。表示部１０３は、デジタル放送の映像を表示する画面を有する。また、表示部１０３は、ＣＰＵ１０６の制御に基づいてデジタル放送の映像に重畳して音声出力部１０４のスピーカーまたはスピーカー３１１〜３１６の現在の音量を表示する。
【００７９】
ＨＤＭＩ送受信部１０５は、後述するホームシアター装置２００のＨＤＭＩ送受信部２０５と通信を行うことにより、ホームシアター装置２００に映像・音声データおよびＣＥＣコマンドを送信し、ホームシアター装置２００からＣＥＣコマンドを受信する。ＨＤＭＩ規格において、映像・音声データはＨＤＭＩ送受信部１０５からＨＤＭＩ送受信部２０５への一方向に送信され、ＣＥＣコマンドはＨＤＭＩ送受信部１０５とＨＤＭＩ送受信部２０５との間で双方向に送信される。
【００８０】
デジタルテレビ受信装置１００は、ホームシアター装置２００における最大音量値データおよび現時点の音量設定値データの両方をメモリ１０７に記憶することにより、音量バー表示を容易に行うことができる。ここで、音量バー表示とは、音量をバーの長さにより表示することをいう。本実施の形態では、後述するように、音量調節可能な範囲を示すバー（以下、調節可能範囲バーと呼ぶ）および現在の音量を示すバー（以下、音量バーと呼ぶ）が表示部１０３の画面に表示される。
【００８１】
次に、ホームシアター装置２００の構成を説明する。図２に示すように、ホームシアター装置２００は、音量操作部２０１、メモリ２０２、アンプ２０３、ＣＰＵ２０４、およびＨＤＭＩ送受信部２０５を含む。
【００８２】
音量操作部２０１は、デジタルテレビ受信装置１００がシアターモードに設定されている場合に、利用者３１０がホームシアター装置２００に対して直接的に音量操作を行うために設けられる。音量操作部２０１は、音量を増加させるための音量アップボタン、音量を減少させるための音量ダウンボタン、ならびに消音設定および消音解除を指示するための消音ボタンを含む。それにより、シアターモード時には、利用者３１０は、リモコン装置３０１による音量操作だけでなく、ホームシアター装置２００の音量操作部２０１により音量操作を行うことが可能となる。音量操作部２０１は、回転ダイアル式の音量調節つまみを含んでもよい。この場合、音量操作ボタンを押す操作に比べて、アナログ感覚の音量調節が可能となる。音量操作部２０１の音量アップボタン、音量ダウンボタン、消音ボタンおよび音量調節つまみの一部またはすべてがホームシアター装置２００の本体部に設けられてもよく、ホームシアター装置２００に付属するリモコン装置に設けられてもよい。
【００８３】
メモリ２０２は、ＣＰＵ２０４の制御に基づいてアンプ２０３の現在の音量制御状態データを記憶する。
【００８４】
ＨＤＭＩ送受信部２０５は、デジタルテレビ受信装置１００のＨＤＭＩ送受信部１０５と通信を行うことにより、デジタルテレビ受信装置１００から映像・音声データおよびＣＥＣコマンドを受信し、デジタルテレビ受信装置１００にＣＥＣコマンドを送信する。
【００８５】
ＣＰＵ２０４は、ＨＤＭＩ送受信部２０５を介してデジタルテレビ受信装置１００のＣＰＵ１０６からＣＥＣコマンドおよび映像・音声データを受け取る。ＣＰＵ２０４は、ＣＥＣコマンドを解釈し、解釈結果に基づいてアンプ２０３の増幅率（利得）を制御する。また、ＣＰＵ２０４は、音量操作部２０１からの指示に基づいてアンプ２０３の増幅率を制御する。
【００８６】
アンプ２０３は、音声データをアナログ音声信号に変換し、アナログ音声信号を制御された増幅率で増幅し、増幅されたアナログ音声信号に基づいてスピーカー３１１〜３１６を駆動する。それにより、スピーカー３１１〜３１６から音量制御された音声が出力される。
【００８７】
（１−３）デジタルテレビ受信装置およびホームシアター装置の概略動作
ここで、音量操作時のデジタルテレビ受信装置１００およびホームシアター装置２００の動作の概要を説明する。なお、デジタルテレビ受信装置１００はシアターモードに設定されている。
【００８８】
まず、音量操作時（音量調節時、消音設定時または消音解除時）には、利用者３１０がリモコン装置３０１の音量操作ボタンを押すと、デジタルテレビ受信装置１００のＣＰＵ１０６は、リモコン受光部１０８を介して音量操作ボタンの操作に応じた音量操作情報を取得する。次に、ＣＰＵ１０６は、音量操作情報に対応するＣＥＣコマンドをＨＤＭＩ送受信部１０５、ＨＤＭＩケーブル３２０およびＨＤＭＩ送受信部２０５を介してホームシアター装置２００のＣＰＵ２０４に送信する。このＣＥＣコマンドは、音量設定値データを含む。
【００８９】
ＣＰＵ２０４は、受信したＣＥＣコマンドを解釈することによりＣＥＣコマンドから音量設定値データを抽出し、抽出した音量設定値データをアンプ２０３に設定する。また、ＣＰＵ２０４は、抽出した音量設定値データをメモリ２０２に記憶させる。それにより、音量設定値データに基づいてアンプ２０３の増幅率が制御される。その結果、スピーカー３１１〜３１６から出力される音声の音量が制御される。
【００９０】
次に、デジタルテレビ受信装置１００がホームシアター装置２００から音量制御状態データを取得する動作を説明する。デジタルテレビ受信装置１００のＣＰＵ１０６は、音量制御状態データを要求するＣＥＣコマンドをＨＤＭＩ送受信部１０５、ＨＤＭＩケーブル３２０およびＨＤＭＩ送受信部２０５を介してホームシアター装置２００のＣＰＵ２０４に送信する。
【００９１】
ＣＰＵ２０４は、受信したＣＥＣコマンドを解釈し、アンプ２０３に設定された現在の音量設定値データを取得する。さらに、ＣＰＵ２０４は、取得した音量設定値データをメモリ２０２に記憶させるとともに、音量制御状態データを含むＣＥＣコマンドをＨＤＭＩ送受信部２０５、ＨＤＭＩケーブル３２０およびＨＤＭＩ送受信部１０５を介してデジタルテレビ受信装置１００のＣＰＵ１０６に送信する。音量制御状態データは、最大音量値データ、音量設定値データおよび消音設定状態データを含む。
【００９２】
ＣＰＵ１０６は、受信したＣＥＣコマンドを解釈し、ＣＥＣコマンドから音量制御状態データを抽出し、抽出した音量制御状態データをメモリ１０７に記憶させる。また、ＣＰＵ１０６は、抽出した音量制御状態データに含まれる最大音量値データおよび音量設定値データに基づいて調節可能範囲バーおよび音量バーを表示部１０３の画面上にオンスクリーン表示する。
【００９３】
以下、スピーカー３１１〜３１６から出力される音声の音量をアンプ２０３の音量またはホームシアター装置２００の音量と称する。
【００９４】
（１−４）音量バー表示の例
図３ａおよび図３ｂは第１の実施の形態におけるホームシアターシステム１の音量バー表示の例を示す図である。図３ａに示す例では、表示部１０３の画面上の音量バー表示４０１は、ホームシアター装置２００の音量調節可能な範囲を示す調節可能範囲バー４０２、ホームシアター装置２００の現在の音量を示す音量バー４０３およびホームシアター装置２００の現在の音量の割合を示す数字４０４を含む。図３ｂの例では、表示部１０３の画面上の音量バー表示４０１は、ホームシアター装置２００の音量調節可能な範囲を示す調節可能範囲バー４０２およびホームシアター装置２００の現在の音量を示す音量バー４０３を含む。
【００９５】
調節可能範囲バー４０２の全体の長さＬ１がホームシアター装置２００の音量調節可能な範囲の最大値に相当する。音量バー４０３の長さＬ２がホームシアター装置２００の現在の音量に相当する。したがって、調節可能範囲バー４０２の長さＬ１に対する音量バー４０３の長さＬ２の割合が音量調節可能な範囲に対する現在の音量の割合を示す。図３ａの数字４０４は、音量調節可能な範囲に対する現在の音量の割合を示す。
【００９６】
後述するように、デジタルテレビ受信装置１００およびホームシアター装置２００がシアターモードに設定されたときに、デジタルテレビ受信装置１００はホームシアター装置２００から音量制御状態データを取得する。音量制御状態データに含まれる最大音量値データおよび音量設定値データに基づいて図３ａおよび図３ｂの音量バー表示４０１を行うことができる。
【００９７】
例えば、最大音量値データが１００であり、最小音量値データが０であるとする。この場合、現時点の音量設定値データが５０であれば、調節可能範囲バー４０２の長さＬ１（音量バー４０３の最大長）の５０％に相当する長さＬ２の音量バー４０３が表示される。また、現在の音量の割合５０％が数字４０４で表示される。
【００９８】
あるいは、最大音量値データおよび音量設定値データのｄＢ換算により音量バー４０３が表示されてもよい。例えば、最大音量値データが１００であり、最小音量値データが１であるとする。この場合、音量調節可能な範囲は０ｄＢから＋４０ｄＢまでである。現時点の音量設定値データが４０であれば、２０ｌｏｇ４０＝＋３２［ｄＢ］であるので、現在の音量は＋３２ｄＢとなる。この場合、音量調節可能な範囲に対する現在の音量の割合は３２／４０＝８０［％］となる。したがって、調節可能範囲バー４０２の長さＬ１の８０％に相当する長さＬ２の音量バー４０３が表示される。また、現在の音量の割合８０％が数字４０４で表示される。
【００９９】
図３ａおよび図３ｂの例では、利用者３１０は、調節可能範囲バー４０２の長さＬ１に対する音量バー４０３の長さＬ２の割合に基づいてホームシアター装置２００の現在の音量を直感的かつ視覚的に認識することができる。また、図３ａの例では、利用者３１０は、数字４０４に基づいてホームシアター装置２００の正確な音量の割合を認識することができる。
【０１００】
（１−５）ホームシアターシステムの詳細な動作
以下、本実施の形態に係るホームシアターシステム１の音量制御動作を詳しく説明する。以下の音量制御動作は、デジタルテレビ受信装置１００のＣＰＵ１０６がメモリ１０７に記憶されたプログラムを実行するとともにホームシアター装置２００のＣＰＵ２０４がメモリ２０２に記憶されたプログラムを実行することにより行われる。
【０１０１】
このように、デジタルテレビ受信装置１００およびホームシアター装置２００の制御動作の主体はそれぞれＣＰＵ１０６およびＣＰＵ２０４であるが、説明を簡単にするために、以下、デジタルテレビ受信装置１００およびホームシアター装置２００を動作主体として説明する。また、適宜、ＣＥＣコマンドをコマンドと略記する。
【０１０２】
消音設定状態とは、アンプ２０３からアナログ音声信号がスピーカー３１１〜３１６に出力されない状態をいう。この場合、スピーカー３１１〜３１６から音声が出力されない。消音解除状態とは、アンプ２０３からアナログ音声信号がスピーカー３１１〜３１６に出力される状態をいう。この場合、スピーカー３１１〜３１６から音声が出力される。
【０１０３】
以下に説明するシーケンス図では、消音設定を“消音ＯＮ”と記載し、消音解除を“消音ＯＦＦ”と記載する。消音設定状態を“消音＝ＯＮ状態”と記載し、消音解除状態を“消音＝ＯＦＦ状態”と記載する。
【０１０４】
また、最小音量値データを０とする。消音設定状態データは、消音設定状態（消音オン）および消音解除状態（消音オフ）を表す。
【０１０５】
（ａ）シアターモードへの設定動作
図４はシアターモード設定動作時のデジタルテレビ受信装置１００およびホームシアター装置２００との間のＣＥＣコマンドの送受信を示すシーケンス図である。図４には、リモコン装置３０１によりシアターモードの設定操作が行われた場合の制御動作が示される。
【０１０６】
図４において、リモコン装置３０１によりシアターモードの設定が指示されると、デジタルテレビ受信装置１００は、まず、＜Ｒｅｑｕｅｓｔ  ｔｏ  ｓｗｉｔｃｈ  ｔｏ  Ｔｈｅａｔｅｒ  ｍｏｄｅ＞コマンドをホームシアター装置２００に送信する（ステップＳ２０１）。このコマンドは、シアターモードへの切り替えを要求するコマンドである。ホームシアター装置２００は、ステップＳ２０１で受信したコマンドに応答して、アンプ２０３の消音状態を解除するとともに、アンプ２０３をシアターモードに設定する。その後、ホームシアター装置２００は、＜Ｒｅｐｌｙ  ｃｏｍｐｌｅｔｉｏｎ  ｏｆ  Ｔｈｅａｔｅｒ  ｍｏｄｅ＞コマンドをデジタルテレビ受信装置１００に送信する（ステップＳ２０２）。このコマンドは、シアターモードの設定が完了したことを示すコマンドである。これ以降、ホームシアター装置２００は、デジタルテレビ受信装置１００から送信される音声データを再生可能な状態に入る。
【０１０７】
引き続き、デジタルテレビ受信装置１００は、＜Ａｃｑｕｉｒｅ  ｖｏｌｕｍｅ  ｓｔａｔｕｓ＞コマンドをホームシアター装置２００に送信する（ステップＳ２０３）。このコマンドは、音量制御状態データを要求するコマンドである。ホームシアター装置２００は、ステップＳ２０３で受信したコマンドに応答して、＜Ｎｏｔｉｆｙ  ｗｉｔｈ＞［Ｍａｘ  Ｖａｌｕｅ］［“Ｍｕｔｅ  Ｏｆｆ”，Ｘ（ｃｕｒｒｅｎｔ  ｖｏｌｕｍｅ）］コマンドをデジタルテレビ受信装置１００に送信する（ステップＳ２０４）。このコマンドは、音量制御状態データとして、最大音量値データ、消音解除状態および現在の音量設定値データ「Ｘ」を通知するコマンドである。デジタルテレビ受信装置１００は、ステップＳ２０４で受信した音量制御状態データをメモリ１０７に記憶する。
【０１０８】
このように、ホームシアター装置２００がシアターモードに設定されるとともに、ホームシアター装置２００からデジタルテレビ受信装置１００に現在の音量制御状態データが送信される。それにより、デジタルテレビ受信装置１００のメモリ１０７に記憶される音量制御状態データが最新の音量制御状態データで更新される。
【０１０９】
（ｂ）１回押しによる音量調節動作
以下の説明において、音量操作ボタンの１回押しとは、利用者３１０が音量操作ボタンを所定の時間（例えば３００ｍｓ）よりも短い時間１回押す操作（ワンプッシュ操作）をいう。音量操作ボタンの１回押しによりホームシアター装置２００の音量の値（音量のレベル）が「１」変化する。
【０１１０】
図５は音量操作ボタンの１回押しによる音量調節動作時のデジタルテレビ受信装置１００とホームシアター装置２００との間のＣＥＣコマンドの送受信を示すシーケンス図である。図５には、音量アップボタンの１回押しによる音量増加操作が行われた場合の音量調節の制御動作が示される。図５では、音量の値が「１」増加することを「音量１アップ」と表示する。
【０１１１】
デジタルテレビ受信装置１００は、リモコン装置３０１の音量アップボタンが押されたことを示す音声操作情報と、メモリ１０７に記憶された音量制御状態データの音量設定値データとから、ホームシアター装置２００に送信すべき音量設定値データを決定する。このとき、メモリ１０７に記憶された音量制御状態データは、ホームシアター装置２００の現在の音量設定値データが「Ｘ」であることを示している。
【０１１２】
デジタルテレビ受信装置１００は、メモリ１０７に記憶された音量設定値データに基づいて、＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋１］コマンドをホームシアター装置２００に送信する（ステップＳ２１１）。このコマンドは、アンプ２０３の消音状態を解除するとともにアンプ２０３に音量設定値データ「Ｘ＋１」を設定するコマンドである。ホームシアター装置２００は、ステップＳ２１１で受信したコマンドに基づいて、アンプ２０３の消音状態を解除するとともに、アンプ２０３に音量設定値データ「Ｘ＋１」を設定する。
【０１１３】
その後、デジタルテレビ受信装置１００は、メモリ１０７に記憶される音量設定値データを最新の音量設定値データ「Ｘ＋１」に更新するとともに、音量設定値データ「Ｘ＋１」に基づいた音量バーを表示部１０３の画面上にオンスクリーン表示する。
【０１１４】
音量ダウンボタンの１回押しによる音量減少操作が行われた場合には、ステップＳ２１１の＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋１］コマンドの代わりに＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ−１］コマンドがデジタルテレビ受信装置１００からホームシアター装置２００に送信される。このコマンドは、アンプ２０３の消音状態を解除するとともにアンプ２０３に音量設定値データ「Ｘ−１」を設定するコマンドである。音量減少操作時の他の動作は、音量増加操作時の動作と同様である。
【０１１５】
このように、デジタルテレビ受信装置１００からホームシアター装置２００への１ステップのＣＥＣコマンドの送信によりホームシアター装置２００の音量の値が「１」変化する。それにより、音量調節の応答性を向上させることが可能となる。
【０１１６】
（ｃ）長押しによる音量調節動作
以下の説明において、音量操作ボタンの長押しとは、利用者３１０が音量操作ボタンを所定の時間（例えば３００ｍｓ）よりも長い時間連続的に押す操作（連続的音量調節操作）をいう。音量操作ボタンの長押しによりホームシアター装置２００の音量の値（音量のレベル）が「２」以上変化する。
【０１１７】
図６および図７は音量操作ボタンの長押しによる音量調節動作時のデジタルテレビ受信装置１００とホームシアター装置２００との間のＣＥＣコマンドの送受信を示すシーケンス図である。図６および図７には、音量アップボタンの長押しによる音量増加操作が行われた場合の音量調節の制御動作が示される。図６は、音量設定値データが１ずつ連続的に増加される例を示す。図７は、音量設定値データが１よりも大きい所定値ずつ増加される例を示す。図６および図７では、ホームシアター装置２００の音量の値（音量のレベル）が「１」〜「５」増加することを「音量１アップ」〜「音量５アップ」と表示する。
【０１１８】
まず、図６の例では、メモリ１０７に記憶された音量制御状態データは、ホームシアター装置２００の現在の音量設定値データが「Ｘ」であることを示している。
【０１１９】
利用者３１０がリモコン装置３０１の音量アップボタンを押すと、デジタルテレビ受信装置１００は、メモリ１０７に記憶される音量設定値データに基づいて、＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋１］コマンドをホームシアター装置２００に送信する（ステップＳ２２１）。このコマンドは、アンプ２０３の消音状態を解除するとともにアンプ２０３に音量設定値データ「Ｘ＋１」を設定するコマンドである。ホームシアター装置２００は、ステップＳ２２１で受信したコマンドに基づいて、アンプ２０３の消音状態を解除するとともに、アンプ２０３に音量設定値データ「Ｘ＋１」を設定する。
【０１２０】
デジタルテレビ受信装置１００は、所定の待機時間Ｔ１（例えば３００ｍｓ）の後、＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋２］コマンドをホームシアター装置２００に送信する（ステップＳ２２２）。このコマンドは、アンプ２０３の消音解除状態を維持するとともにアンプ２０３に音量設定値データ「Ｘ＋２」を設定するコマンドである。ホームシアター装置２００は、ステップＳ２２２で受信したコマンドに基づいて、アンプ２０３に音量設定値データ「Ｘ＋２」を設定する。
【０１２１】
デジタルテレビ受信装置１００は、待機時間Ｔ１の経過により、音量アップボタンが長押しされていると判定する。それにより、デジタルテレビ受信装置１００は、音量アップボタンが離されるまで、短期間Ｔ２（例えば１５０ｍｓ）の経過ごとにアンプ２０３の消音解除状態を維持するとともにアンプ２０３に１ずつ増加する音量設定値データを設定するコマンドをホームシアター装置２００に送信する（ステップＳ２２３〜Ｓ２２７）。すなわち、デジタルテレビ受信装置１００は、ステップＳ２２３〜Ｓ２２７で音量設定値データ「Ｘ＋３」、「Ｘ＋４」、「Ｘ＋５」、「Ｘ＋６」および「Ｘ＋７」をそれぞれ含むコマンドをホームシアター装置２００に順次送信する。ホームシアター装置２００は、ステップＳ２２３〜Ｓ２２７で受信したコマンドに基づいて、アンプ２０３に音量設定値データ「Ｘ＋３」、「Ｘ＋４」、「Ｘ＋５」、「Ｘ＋６」および「Ｘ＋７」を順次設定する。
【０１２２】
この間、デジタルテレビ受信装置１００は、メモリ１０７に記憶される音量設定値データを最新の音量設定値データ「Ｘ＋１」〜「Ｘ＋７］により更新するとともに、音量設定値データ「Ｘ＋１」〜「Ｘ＋７］に基づいた音量バーを表示部１０３の画面上にオンスクリーン表示する。
【０１２３】
図６の例では、デジタルテレビ受信装置１００が＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋７］コマンドをホームシアター装置２００に送信した後（ステップＳ２２７の後）、音量アップボタンが離される。それにより、デジタルテレビ受信装置１００は、ＣＥＣコマンドの送信を終了する。
【０１２４】
このように、デジタルテレビ受信装置１００のリモコン装置３０１によりホームシアター装置２００の音量のレベルを１ずつ細かく調節することができる。
【０１２５】
音量ダウンボタンの長押しによる音量減少操作が行われた場合には、ステップＳ２２１〜Ｓ２２７の音量設定値データ「Ｘ＋１」、「Ｘ＋２」、「Ｘ＋３」、「Ｘ＋４」、「Ｘ＋５」、「Ｘ＋６」および「Ｘ＋７」をそれぞれ含むＣＥＣコマンドの代わりに音量設定値データ「Ｘ−１」、「Ｘ−２」、「Ｘ−３」、「Ｘ−４」、「Ｘ−５」、「Ｘ−６」および「Ｘ−７」をそれぞれ含むＣＥＣコマンドがデジタルテレビ受信装置１００からホームシアター装置２００に送信される。音量減少操作時の他の動作は、音量増加操作時の動作と同様である。
【０１２６】
次に、図７の例について説明する。図７のステップＳ２３１，Ｓ２３２，Ｓ２３４，Ｓ２３６，Ｓ２３７の処理は図６のステップＳ２２１，Ｓ２２２，Ｓ２２４，Ｓ２２６，Ｓ２２７の処理と同じである。
【０１２７】
図７のステップＳ２３３，Ｓ２３５の処理は、図６のステップＳ２２３，Ｓ２２５の処理とは異なる。すなわち、図６の例では、デジタルテレビ受信装置１００がホームシアター装置２００にステップＳ２２３で＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋２］コマンドを送信し、ステップＳ２２５で＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ＋５］コマンドを送信する。これに対して、図７の例では、デジタルテレビ受信装置１００はステップＳ２３３およびステップＳ２３５でホームシアター装置２００へのＣＥＣコマンドの送信を休止する。
【０１２８】
音量ダウンボタンの長押しによる音量減少操作が行われた場合には、ステップＳ２２１，Ｓ２２２，Ｓ２２４，Ｓ２２６，Ｓ２２７の音量設定値データ「Ｘ＋１」、「Ｘ＋２」、「Ｘ＋４」、「Ｘ＋６」および「Ｘ＋７」をそれぞれ含むＣＥＣコマンドの代わりに音量設定値データ「Ｘ−１」、「Ｘ−２」、「Ｘ−４」、「Ｘ−６」および「Ｘ−７」をそれぞれ含むＣＥＣコマンドがデジタルテレビ受信装置１００からホームシアター装置２００に送信される。音量減少操作時の他の動作は、音量増加操作時の動作と同様である。
【０１２９】
このように、音量設定値データが間引かれることにより、ＣＥＣコマンドの送信回数が低減される。それにより、ＣＥＣコマンドの送信間隔を短縮することにより、ホームシアター装置２００の音量調節を迅速に行うことができる。
【０１３０】
（ｄ）消音設定動作および消音解除動作
図８は消音設定動作時のデジタルテレビ受信装置１００とホームシアター装置２００との間のＣＥＣコマンドの送受信を示すシーケンス図である。図８には、消音ボタンによる消音設定操作が行われた場合の消音設定の制御動作が示される。
【０１３１】
利用者３１０がリモコン装置３０１の消音ボタンを押すことにより消音設定操作を行うと、デジタルテレビ受信装置１００は、＜Ｓｅｔ  ｔｈｅ  ｖｏｌｕｍｅ  ｓｔａｔｕｓ  ｗｉｔｈ＞［“Ｍｕｔｅ  Ｏｎ”，Ｘ］コマンドをホームシアター装置２００に送信する（ステップＳ２４１）。このコマンドは、アンプ２０３を消音状態に設定するとともにアンプ２０３に音量設定値データ「Ｘ」を設定するコマンドである。
【０１３２】
ホームシアター装置２００は、ステップＳ２４１で受信したコマンドに応答して、アンプ２０３を消音状態に設定するとともに、アンプ２０３に音量設定値データ「Ｘ」を設定する。また、ホームシアター装置２００は、＜Ｎｏｔｉｆｙ  ｗｉｔｈ＞［Ｍａｘ  Ｖａｌｕｅ］［“Ｍｕｔｅ  Ｏｎ”，Ｘ］コマンドをデジタルテレビ受信装置１００に送信する（ステップＳ２４２）。このコマンドは、音量制御状態データとして、最大音量値データ、消音設定状態および音量設定値データ「Ｘ」を通知するコマンドである。デジタルテレビ受信装置１００は、メモリ１０７に記憶される音量制御状態データをステップＳ２４２で受信した音量制御状態データにより更新する。
【０１３３】
消音解除操作が行われた場合には、ステップＳ２４１で＜Ｓｅｔ  ｔｈｅ  ｖｏｌｕｍｅ  ｓｔａｔｕｓ  ｗｉｔｈ＞［“Ｍｕｔｅ  Ｏｎ”，Ｘ］コマンドの代わりに＜Ｓｅｔ  ｔｈｅ  ｖｏｌｕｍｅ  ｓｔａｔｕｓ  ｗｉｔｈ＞［“Ｍｕｔｅ  Ｏｆｆ”，Ｘ］コマンドがデジタルテレビ受信装置１００からホームシアター装置２００に送信される。また、ステップＳ２４２で＜Ｎｏｔｉｆｙ  ｗｉｔｈ＞［Ｍａｘ  Ｖａｌｕｅ］［“Ｍｕｔｅ  Ｏｎ”，Ｘ］コマンドの代わりに＜Ｎｏｔｉｆｙ  ｗｉｔｈ＞［Ｍａｘ  Ｖａｌｕｅ］［“Ｍｕｔｅ  Ｏｆｆ”，Ｘ］コマンドがホームシアター装置２００からデジタルテレビ受信装置１００に送信される。
【０１３４】
これにより、ホームシアター装置２００において音量操作部２０１により音量調節操作が行われた場合でも、消音設定操作時または消音解除操作時に、デジタルテレビ受信装置１００がホームシアター装置２００の最新の音量制御状態データを取得することができる。
【０１３５】
消音設定操作および消音解除操作には、高速な応答性が要求されない。したがって、消音設定操作時および消音解除操作時にホームシアター装置２００からデジタルテレビ受信装置１００に音量制御状態データが送信されることにより、音量調節操作の応答性を損なうことなく、メモリ１０７に記憶される音量制御状態データを最新の音量制御状態データに更新することができる。
【０１３６】
（１−６）第１の実施の形態の効果
このように、本実施の形態におけるホームシアターシステム１においては、デジタルテレビ受信装置１００およびホームシアター装置２００がシアターモードに設定されたときに、デジタルテレビ受信装置１００のＣＰＵ１０６がホームシアター装置２００の現在の音量制御状態データを取得し、メモリ１０７に記憶される音量設定値データを取得した音量設定値データに更新する。そのため、音声操作時に、ＣＰＵ１０６は、メモリ１０７に記憶された音量設定値データからホームシアター装置２００の現在の音量を認識することができる。それにより、ＣＰＵ１０６は、ホームシアター装置２００から現在の音量を取得することなく、操作後の音量設定値データを決定することができる。したがって、音量操作時に、デジタルテレビ受信装置１００とホームシアター装置２００との間でのＣＥＣコマンドの送受信の回数を低減することができる。その結果、音量操作の応答性を高くすることができる。
【０１３７】
また、リモコン装置３０１による音量操作によりホームシアター装置２００の音量が変化した場合には、メモリ１０７に最新の音量設定値データが記憶される。したがって、音量操作の連続性を維持することができる。
【０１３８】
また、ＣＰＵ１０６は、メモリ１０７に記憶された最大音量値データからホームシアター装置２００の音量調節可能な範囲の最大値を認識することができる。それにより、ホームシアター装置２００の音量調節可能な範囲の最大値に対するホームシアター装置２００の現在の音量の割合を表示部１０３の画面に表示させることができる。
【０１３９】
特に、利用者３１０は、ホームシアター装置２００の種類にかかわらず、音量バー表示４０１における調節可能範囲バー４０２の長さに対する音量バー４０３の長さの割合に基づいて、現在の音量を直感的かつ視覚的に把握することができる。
【０１４０】
この場合、ＣＰＵ１０６は、ホームシアター装置２００とＣＥＣコマンドの送受信を行うことなく、現在の音量の割合を表示させることができるので、音量表示の速度が速くなる。したがって、ホームシアター装置２００の音量変化が表示部１０３の音量表示の変化に即座に反映される。
【０１４１】
以上の結果、音量操作の操作性および応答性が向上するとともに、高精度の音量調節が可能となる。
【０１４２】
このように、本実施の形態における制御動作は、上記のＣＥＣコマンドを用いることにより容易に実現可能である。
【０１４３】
（２）第２の実施の形態
第２の実施の形態に係るホームシアターシステム１の構成は、図１のホームシアターシステム１の構成と同様である。また、第２の実施の形態に係るデジタルテレビ受信装置１００およびホームシアター装置２００の構成は、図２に示される構成と同様である。第２の実施の形態が第１の実施の形態と異なるのは、デジタルテレビ受信装置１００のＣＰＵ１０６およびホームシアター装置２００のＣＰＵ２０４における以下の制御動作である。
【０１４４】
（２−１）ホームシアターシステム１の詳細動作
図９はホームシアター装置２００での音量調節操作によるデジタルテレビ受信装置１００とホームシアター装置２００との間のＣＥＣコマンドの送受信を示すシーケンス図である。図９には、利用者３１０がホームシアター装置２００の音量操作部２０１の音量アップボタンを１回押しした場合、音量調節つまみを回した場合、および消音ボタンを押した場合の制御動作が時系列に示される。
【０１４５】
図９の例では、ホームシアター装置２００の現在の音量設定値データは「Ｘ」である。
【０１４６】
まず、利用者３１０が音量操作部２０１の音量アップボタンを１回押しした場合には、ホームシアター装置２００は、アンプ２０３の消音状態を解除するとともに、アンプ２０３に音量設定値データ「Ｘ＋１」を設定する。また、ホームシアター装置２００は、＜Ｎｏｔｉｆｙ  ｗｉｔｈ＞［Ｍａｘ  Ｖａｌｕｅ］［“Ｍｕｔｅ  Ｏｆｆ”，Ｘ＋１］コマンドをデジタルテレビ受信装置１００に送信する（ステップＳ２４３）。このコマンドは、音量制御状態データとして、ホームシアター装置２００の最大音量値データ、消音解除状態および音量設定値データ「Ｘ＋１」を通知するコマンドである。
【０１４７】
デジタルテレビ受信装置１００は、メモリ１０７に記憶される音量制御状態データをステップＳ２４３で受信した音量制御状態データにより更新する。以降、デジタルテレビ受信装置１００は、リモコン装置３０１により音量調節操作が行われた場合に、メモリ１０７内の更新された音量制御状態データを用いる。それにより、ホームシアター装置２００の音量操作部２０１により音量調節が行われた場合と、デジタルテレビ受信装置１００のリモコン装置３０１により音量調節が行われた場合とで、音量制御状態データの連続性が保たれる。
【０１４８】
次に、利用者３１０が音量操作部２０１の音量調節つまみ回した場合について説明する。利用者３１０は、音量調節つまみを回転させることによりアナログの操作感で音量調節を行うことができる。また、利用者３１０は、音量調節つまみを速く回転させることにより、高速の音量調節を行うことができる。ホームシアター装置２００は、音量調節つまみが時計回りに一定角度回転するごとに音量設定値データを「１」ずつ増加させる。また、ホームシアター装置２００は、音量調節つまみが反時計回りに一定角度回転するごとに音量設定値データを「１」ずつ減少させる。
【０１４９】
利用者３１０が音量調節つまみを回し始めると、ホームシアター装置２００は、アンプ２０３に音量設定値データ「Ｘ＋２」を設定する。また、ホームシアター装置２００は、＜Ｎｏｔｉｆｙ  ｗｉｔｈ＞［Ｍａｘ  Ｖａｌｕｅ］［“Ｍｕｔｅ  Ｏｆｆ”，Ｘ＋２］コマンドをデジタルテレビ受信装置１００に送信する（ステップＳ２５１）。このコマンドは、音量制御状態データとして、最大音量値データ、消音解除状態および音量設定値データ「Ｘ＋２」を通知するコマンドである。デジタルテレビ受信装置１００は、メモリ１０７に記憶された音量制御状態データをステップＳ２５１で受信した音量制御状態データにより更新する。
【０１５０】
音量調節つまみの回転速度が遅く、音量設定値データが「１」増加するのに所定時間Ｔ３（例えば１００ｍｓ）以上かかる場合には、ホームシアター装置２００は、音量設定値データが「１」増加するごとに音量制御状態データを通知するコマンドをデジタルテレビ受信装置１００に送信する。例えば、ホームシアター装置２００は、＜Ｎｏｔｉｆｙ  ｗｉｔｈ＞［Ｍａｘ  Ｖａｌｕｅ］［“Ｍｕｔｅ  Ｏｆｆ”，Ｘ＋３］コマンドをデジタルテレビ受信装置１００に送信する（ステップＳ２５２）。このコマンドは、音量制御状態データとして、最大音量値データ、消音解除状態および音量設定値データ「Ｘ＋３」を通知するコマンドである。デジタルテレビ受信装置１００は、メモリ１０７に記憶された音量制御状態データをステップＳ２５２で受信した音量制御状態データにより更新する。
【０１５１】
図９の例では、音量設定値データが「Ｘ＋１５」に増加するまで、ホームシアター装置２００が「１」ずつ増加する音量設定値データを含むコマンドをデジタルテレビ受信装置１００に送信する。デジタルテレビ受信装置１００は、メモリ１０７に記憶された音量設定値データを受信した音量設定値データにより順次更新する。
【０１５２】
図９では、音量設定値データが「Ｘ＋４」から「Ｘ＋１４」に増加するまでのコマンドの送信についての図示が省略されている。ホームシアター装置２００は、＜Ｎｏｔｉｆｙ  ｗｉｔｈ＞［Ｍａｘ  Ｖａｌｕｅ］［“Ｍｕｔｅ  Ｏｆｆ”，Ｘ＋１５］コマンドをデジタルテレビ受信装置１００に送信する（ステップＳ２５３）。このコマンドは、音量制御状態データとして、最大音量値データ、消音解除状態および音量設定値データ「Ｘ＋１５」を通知するコマンドである。デジタルテレビ受信装置１００は、メモリ１０７に記憶された音量制御状態データをステップＳ２５３で受信した音量制御状態データにより更新する。
【０１５３】
その後、利用者３１０が音量調節つまみの回転速度を高めた場合のＣＥＣコマンドが示される。ＣＥＣコマンドの送信可能な時間間隔（所定時間Ｔ３）よりも音量設定値データの増加時間が短い場合には、ホームシアター装置２００は、音量設定値データの増加量を「１」よりも大きい値に設定する。
【０１５４】
図９の例では、ホームシアター装置２００は「５」ずつ増加する音量設定値データを含むコマンドをデジタルテレビ受信装置１００に送信する。ホームシアター装置２００は、＜Ｎｏｔｉｆｙ  ｗｉｔｈ＞［Ｍａｘ  Ｖａｌｕｅ］［“Ｍｕｔｅ  Ｏｆｆ”，Ｘ＋２０］コマンドをデジタルテレビ受信装置１００に送信する（ステップＳ２５４）。このコマンドは、音量制御状態データとして、最大音量値データ、消音解除状態および音量設定値データ「Ｘ＋２０」を通知するコマンドである。利用者３１０が音量調節つまみを速い回転速度でさらに回した場合には、ホームシアター装置２００は、＜Ｎｏｔｉｆｙ  ｗｉｔｈ＞［Ｍａｘ  Ｖａｌｕｅ］［“Ｍｕｔｅ  Ｏｆｆ”，Ｘ＋２５］コマンドをデジタルテレビ受信装置１００に送信する（ステップＳ２５５）。このコマンドは、音量制御状態データとして、最大音量値データ、消音解除状態および音量設定値データ「Ｘ＋２５」を通知するコマンドである。
【０１５５】
デジタルテレビ受信装置１００は、メモリ１０７に記憶された音量制御状態データをステップＳ２５４，Ｓ２５５で受信した音量制御状態データにより順次更新する。
【０１５６】
次に、利用者３１０が音量操作部２０１の消音ボタンを押した場合には、ホームシアター装置２００は、アンプ２０３を消音状態に設定する。また、ホームシアター装置２００は、＜Ｎｏｔｉｆｙ  ｗｉｔｈ＞［Ｍａｘ  Ｖａｌｕｅ］［“Ｍｕｔｅ  Ｏｎ”，Ｘ＋２５］コマンドをデジタルテレビ受信装置１００に送信する（ステップＳ２６１）。このコマンドは、音量制御状態データとして、最大音量値データ、消音設定状態および現在の音量設定値データ「Ｘ＋２５」を通知するコマンドである。デジタルテレビ受信装置１００は、メモリ１０７に記憶された音量制御状態データをステップＳ２６１で受信した音量制御状態データにより更新する。
【０１５７】
第２の実施の形態に係るホームシアターシステム１におけるシアターモード設定動作、１回押し音量調節動作、長押し音量調節動作、消音設定動作および消音解除動作は第１の実施の形態と同様である。
【０１５８】
（２−２）第２の実施の形態の効果
第２の実施の形態に係るホームシアターシステム１においては、ホームシアター装置２００の側で、ホームシアター装置２００の音量操作を行った場合に、ホームシアター装置２００からデジタルテレビ受信装置１００に音量操作後の音量設定値データが送信される。それにより、ホームシアター装置２００の音量操作部２０１による音量操作ごとにメモリ１０７に最新の音量設定値データが記憶される。その結果、ホームシアター装置２００の側で音量操作を行った後にデジタルテレビ受信装置１００の側で音量操作を行う場合でも、音量操作の連続性を維持することができる。
【０１５９】
この場合にも、音量操作ボタンの状態の変化ごとに１ステップのＣＥＣコマンドの送信が行われる。また、音量調節つまみの回転速度が速い場合には、音量設定値データが間引かれることにより、ＣＥＣコマンドの送信回数が低減される。それにより、デジタルテレビ受信装置１００の音量表示の迅速性が損なわれない。
【０１６０】
（３）参考例の動作
以下に説明する参考例の動作においては、ホームシアター装置２００の現在の音量設定値データがデジタルテレビ受信装置１００のメモリ１０７に記憶されない。そのため、デジタルテレビ受信装置１００は、音量操作時に、ホームシアター装置２００からホームシアター装置２００の現在の音量設定値データを音量操作を行う度に取得する必要がある。
【０１６１】
また、参考例では、音量制御状態データの代わりに、最大音量値データを含まない音量状態データが用いられる。音量状態データは、音量設定値データおよび消音設定状態データを含む。そのため、デジタルテレビ受信装置１００は、表示部１０３にホームシアター装置２００の現在の音量の値を数字で表示する。ホームシアター装置２００の種類によって同じ音量が異なる値で表わされる場合がある。したがって、利用者３１０は、ホームシアター装置２００の音量を直感的に把握することが難しい。
【０１６２】
（ａ）１回押しによる音量調節動作
図１０は音量操作ボタンの１回押しによる音量調節動作時のデジタルテレビ受信装置１００とホームシアター装置２００との間のＣＥＣコマンドの送受信の参考例を示すシーケンス図である。図１０には、音量アップボタンの１回押しによる音量増加操作が行われた場合の音量調節の制御動作が示される。
【０１６３】
デジタルテレビ受信装置１００はシアターモードに設定された状態であり、現在の音量設定値データは「Ｘ」であり、アンプ２０３は消音状態に設定されている。
【０１６４】
まず、利用者３１０がリモコン装置３０１の音量アップボタンを押すと、デジタルテレビ受信装置１００は、＜Ｕｓｅｒ  Ｃｏｎｔｒｏｌ  Ｐｒｅｓｓｅｄ＞［”Ｖｏｌｕｍｅ  Ｕｐ”］コマンドをホームシアター装置２００に送信する（ステップＳ１０１）。このコマンドは、利用者３１０が音量アップボタンを押したことを示すコマンドである。
【０１６５】
利用者３１０がリモコン装置３０１の音量アップボタンを離すと、デジタルテレビ受信装置１００は、＜Ｕｓｅｒ  Ｃｏｎｔｒｏｌ  Ｒｅｌｅａｓｅｄ＞コマンドをホームシアター装置２００に送信する（ステップＳ１０２）。このコマンドは、利用者３１０が音量操作ボタンを解除したことを示すコマンドである。
【０１６６】
ホームシアター装置２００は、ステップＳ１０１，Ｓ１０２で受信したコマンドにより、利用者３１０が音量アップボタンを１回押したことを認識する。それにより、ホームシアター装置２００は、音量設定値データを「１」増加させる。その結果、現在の音量設定値データは「Ｘ＋１」となる。
【０１６７】
引き続き、デジタルテレビ受信装置１００は、ホームシアター装置２００の現在の音量設定値データを取得するために、＜Ｇｉｖｅ  Ａｕｄｉｏ  Ｓｔａｔｕｓ＞コマンドをホームシアター装置２００に送信する（ステップＳ１０３）。このコマンドは、音量状態データを要求するコマンドである。
【０１６８】
ホームシアター装置２００は、ステップＳ１０３で受信したコマンドに応答して、＜Ｒｅｐｏｒｔ  Ａｕｄｉｏ  Ｓｔａｔｕｓ＞［“Ｍｕｔｅ  Ｏｆｆ”，Ｘ＋１］コマンドをデジタルテレビ受信装置１００に送信する（ステップＳ１０４）。このコマンドは、音量状態データとして、消音解除状態および音量設定値データ「Ｘ＋１」を通知するコマンドである。
【０１６９】
デジタルテレビ受信装置１００は、ステップＳ１０４で受信した音量状態データに基づいて現在の音量設定値データが「Ｘ＋１」であることを確認するとともに、表示部１０３の画面上に音量設定値データ「Ｘ＋１」に基づいて数字で音量値表示を行う。
【０１７０】
音量ダウンボタンの１回押しによる音量減少操作が行われた場合には、ステップＳ１０１の＜Ｕｓｅｒ  Ｃｏｎｔｒｏｌ  Ｐｒｅｓｓｅｄ＞［“Ｖｏｌｕｍｅ  Ｕｐ”］コマンドの代わりに＜Ｕｓｅｒ  Ｃｏｎｔｒｏｌ  Ｐｒｅｓｓｅｄ＞［“Ｖｏｌｕｍｅ  Ｄｏｗｎ”］コマンドがデジタルテレビ受信装置からホームシアター装置に送信される。また、ステップＳ１０４の＜Ｒｅｐｏｒｔ  Ａｕｄｉｏ  Ｓｔａｔｕｓ＞［“Ｍｕｔｅ  Ｏｆｆ”，Ｘ＋１］コマンドの代わりに＜Ｒｅｐｏｒｔ  Ａｕｄｉｏ  Ｓｔａｔｕｓ＞［“Ｍｕｔｅ  Ｏｆｆ”，Ｘ−１］コマンドがホームシアター装置からデジタルテレビ受信装置に送信される。音量減少操作時の他の動作は、音量増加操作時の動作と同様である。
【０１７１】
このように、参考例の１回押しによる音量調節動作では、ホームシアター装置２００の音量の値を「１」変化させるために、４ステップのＣＥＣコマンドの送受信が必要となる。したがって、図５の１回押しによる音量調節動作に比べて音量操作の応答性が低くなる。
【０１７２】
（ｂ）長押しによる音量調節操作
図１１は音量操作ボタンの長押しによる音量調節動作時のデジタルテレビ受信装置１００とホームシアター装置２００との間のＣＥＣコマンドの送受信の参考例を示すシーケンス図である。図１１には、音量アップボタンの長押しによる音量増加操作が行われた場合の音量調節の制御動作が示される。
【０１７３】
デジタルテレビ受信装置１００はシアターモードに設定された状態であり、現在の音量設定値データは「Ｘ」であり、アンプ２０３は消音状態に設定されている。
【０１７４】
まず、利用者３１０がリモコン装置３０１の音量アップボタンを長押しすると、デジタルテレビ受信装置１００は、＜Ｕｓｅｒ  Ｃｏｎｔｒｏｌ  Ｐｒｅｓｓｅｄ＞［“Ｖｏｌｕｍｅ  Ｕｐ”］コマンドをホームシアター装置２００に送信する（ステップＳ１１１）。
【０１７５】
この場合、音量アップボタンが長押しされるので、デジタルテレビ受信装置１００は、図１０のステップＳ１０２の＜Ｕｓｅｒ  Ｃｏｎｔｒｏｌ  Ｒｅｌｅａｓｅｄ＞コマンドをホームシアター装置２００に直ぐに送信せず、＜Ｇｉｖｅ  Ａｕｄｉｏ  Ｓｔａｔｕｓ＞コマンドをホームシアター装置２００に送信する（ステップＳ１１２）。
【０１７６】
ホームシアター装置２００は、ステップＳ１１１，Ｓ１１２により、利用者３１０が音量アップボタンを長押ししていることを認識するので、音量設定値データを「１」増加させる。その結果、現在の音量設定値データが「Ｘ＋１」となる。
【０１７７】
ホームシアター装置２００は、＜Ｒｅｐｏｒｔ  Ａｕｄｉｏ  Ｓｔａｔｕｓ＞［“Ｍｕｔｅ  Ｏｆｆ”，Ｘ＋１］コマンドをデジタルテレビ受信装置１００に送信する（ステップＳ１１３）。デジタルテレビ受信装置１００は、音量設定値データ「Ｘ＋１」に基づいて音量値表示を行う。
【０１７８】
音量アップボタンが引き続き押されている場合、デジタルテレビ受信装置１００は、再び＜Ｕｓｅｒ  Ｃｏｎｔｒｏｌ  Ｐｒｅｓｓｅｄ＞［”Ｖｏｌｕｍｅ  Ｕｐ”］コマンドをホームシアター装置２００に送信する（ステップＳ１１４）。
【０１７９】
ステップＳ１１５，Ｓ１１６の処理は、それぞれステップＳ１１２，Ｓ１１３の処理と同様である。ステップＳ１１６では、ホームシアター装置２００からデジタルテレビ受信装置１００に音量設定値データ「Ｘ＋２」が送信される。デジタルテレビ受信装置１００は、音量設定値データ「Ｘ＋２」に基づいて音量値表示を行う。
【０１８０】
音量アップボタンの長押し操作がさらに続いている場合、ステップＳ１１４，Ｓ１１５，Ｓ１１６と同様のステップＳ１１７，Ｓ１１８，Ｓ１１９の処理が行われる。ステップＳ１１９では、ホームシアター装置２００からデジタルテレビ受信装置１００に音量設定値データ「Ｘ＋３」が送信される。デジタルテレビ受信装置１００は、音量設定値データ「Ｘ＋３」に基づいて音量値表示を行う。
【０１８１】
このように、音量アップボタンの長押し操作の期間中、ステップＳ１１３，Ｓ１１６，Ｓ１１９で音量設定値データがホームシアター装置２００からデジタルテレビ受信装置１００に送信される。それにより、デジタルテレビ受信装置１００は、変化する音量設定値データに基づいて音量値表示を行うことができる。
【０１８２】
利用者３１０が音量アップボタンを離すと、デジタルテレビ受信装置１００は、＜Ｕｓｅｒ  Ｃｏｎｔｒｏｌ  Ｒｅｌｅａｓｅｄ＞コマンドを送信する（ステップＳ１２０）。それにより、ホームシアター装置２００の音量増加の制御動作が終了する。
【０１８３】
このように、参考例の長押しによる音量調節動作ではホームシアター装置２００の音量の値を「１」変化させるために３ステップのＣＥＣコマンドの送受信が必要となる。また、音量操作が長押し操作であるか１回押し操作であるかをホームシアター装置２００が判別するために、＜Ｕｓｅｒ  Ｃｏｎｔｒｏｌ  Ｒｅｌｅａｓｅｄ＞コマンドを受信したか否かを確認する必要がある。それにより、長押しによる音量調節の速度が低下する。
【０１８４】
さらに、デジタルテレビ受信装置１００は、ホームシアター装置２００の音量設定値データに基づいて表示部１０３の画面に音量値表示を行うために、＜Ｕｓｅｒ  Ｃｏｎｔｒｏｌ  Ｐｒｅｓｓｅｄ＞［“Ｖｏｌｕｍｅ  Ｕｐ”］コマンドの送信ごとにホームシアター装置２００から音量設定値データを含むＣＥＣコマンドを取得する必要がある。それにより、音量値表示の速度が遅くなる。この場合、利用者３１０が音量操作の速度を優先すると、実際にスピーカー３１１〜３１６から出力される音声の音量変化よりも遅れて音量値表示が変化するか、または音量値表示の変化が不連続となる。音量値表示の変化を音量操作に合わせるためには、利用者３１０は、音量操作の速度を遅くする必要がある。したがって、音量操作時の操作性が悪化する。
【０１８５】
このように、参考例の長押しによる音量調節動作では、ホームシアター装置２００の音量を調節するためのＣＥＣコマンドの送受信の回数が多くなる。したがって、図６および図７の長押しによる音量調節動作に比べて応答性が低くなる。
【０１８６】
（ｃ）消音設定動作
図１２は消音設定動作時のデジタルテレビ受信装置１００とホームシアター装置２００との間のＣＥＣコマンドの送受信の参考例を示すシーケンス図である。
【０１８７】
図１２には、消音ボタンによる消音設定操作が行われた場合の消音設定の制御動作が示される。
【０１８８】
利用者３１０がリモコン装置３０１の消音ボタンを押すと、デジタルテレビ受信装置１００は、＜Ｕｓｅｒ  Ｃｏｎｔｒｏｌ  Ｐｒｅｓｓｅｄ＞［“Ｍｕｔｅ”］コマンドをホームシアター装置２００に送信する（ステップＳ１３１）。このコマンドは、利用者３１０が消音ボタンを押したことを示すコマンドである。
【０１８９】
利用者３１０が直ちに消音ボタンを離すと、デジタルテレビ受信装置１００は、＜Ｕｓｅｒ  Ｃｏｎｔｒｏｌ  Ｒｅｌｅａｓｅｄ＞コマンドをホームシアター装置２００に送信する（ステップＳ１３２）。
【０１９０】
ホームシアター装置２００は、ステップＳ１３１，Ｓ１３２で受信したコマンドにより、利用者３１０が消音ボタンを１回押したことを認識する。それにより、ホームシアター装置２００は、アンプ２０３を消音状態に設定する。
【０１９１】
引き続き、デジタルテレビ受信装置１００は、ホームシアター装置２００の現在の音量設定値データを取得するために、＜Ｇｉｖｅ  Ａｕｄｉｏ  Ｓｔａｔｕｓ＞コマンドをホームシアター装置２００に送信する（ステップＳ１０３）。
【０１９２】
ホームシアター装置２００は、ステップＳ１３３で受信したコマンドに応答して、＜Ｒｅｐｏｒｔ  Ａｕｄｉｏ  Ｓｔａｔｕｓ＞［“Ｍｕｔｅ  Ｏｎ”，Ｘ］コマンドをデジタルテレビ受信装置１００に送信する（ステップＳ１３４）。このコマンドは、音量状態データとして、消音設定状態および音量設定値データ「Ｘ」を通知するコマンドである。
【０１９３】
このように、参考例の消音設定動作では、ホームシアター装置２００を消音状態に設定するために、４ステップのＣＥＣコマンドの送受信が必要となる。それにより、図８の消音設定動作に比べて、消音設定にかかる時間が長くなる。
【０１９４】
（４）第３の実施の形態
図１３は本発明の第３の実施の形態に係るホームシアターシステム１の構成を示すブロック図である。
【０１９５】
図１３のホームシアターシステム１が図１のホームシアターシステム１と異なるのは次の点である。図１３のホームシアターシステム１では、デジタルテレビ受信装置１００にディスク記録再生装置５００が接続される。ディスク記録再生装置５００は、図２のデジタルテレビ受信装置１００のＨＤＭＩ送受信部１０５、ＣＰＵ１０６およびリモコン受光部１０８を含み、表示部１０３、音声出力部１０４およびメモリ１０７を含まない。ディスク記録再生装置５００は、コンテンツ供給源１１０として、チューナ１０１および復号部１０２の代わりにディスク記録再生部を有する。ディスク記録再生部は、ＣＤ（コンパクトディスク）、ＤＶＤ（ディジタルバーサタイルディスク）またはハードディスク等のディスクにコンテンツとして映像データおよび音声データを記録可能でかつディスクに記録された映像データおよび音声データを再生可能に構成される。
【０１９６】
本実施の形態に係るホームシアターシステム１では、ディスク記録再生装置５００が映像音声再生装置の音声データ取得部として用いられ、デジタルテレビ受信装置１００のコンテンツ供給源１１０および表示部１０３を除く部分が映像音声再生装置の音声データ取得部を除く部分として用いられる。また、ホームシアター装置２００が音声出力制御装置として用いられ、デジタルテレビ受信装置１００の表示部１０３が表示部として用いられる。
【０１９７】
デジタルテレビ受信装置１００の入力源は、デジタルテレビ放送およびディスク記録再生装置５００に切り替え可能である。以下、デジタルテレビ受信装置１００の入力源がディスク記録再生装置５００に切り替えられた場合の動作ついて説明する。
【０１９８】
この場合、ディスク記録再生装置５００により再生される映像データは、デジタルテレビ受信装置１００の表示部１０３（図２参照）に映像として表示される。
【０１９９】
デジタルテレビ受信装置１００がテレビモードに設定されている場合には、ディスク記録再生装置５００により再生される音声データは、デジタルテレビ受信装置１００の音声出力部１０４（図２参照）により音声として出力される。
【０２００】
デジタルテレビ受信装置１００がシアターモードに設定されている場合には、ディスク記録再生装置５００により再生される音声データはデジタルテレビ受信装置１００からホームシアター装置２００に送信される。この場合、デジタルテレビ受信装置１００とホームシアター装置２００との間のＣＥＣコマンドの送受信は、第１または第２の実施の形態と同様である。
【０２０１】
本実施の形態では、デジタルテレビ受信装置１００のメモリ１０７にホームシアター装置２００の現在の音量制御状態データが記憶される。また、デジタルテレビ受信装置１００のＣＰＵ１０６の制御動作によりメモリ１０７に記憶された音量制御状態データに基づいてデジタルテレビ受信装置１００の表示部１０３の画面に音量バー表示が行われる。
【０２０２】
本実施の形態に係るホームシアターシステム１では、ディスク記録再生装置５００により再生される音声データに基づく音声をスピーカー３１１〜３１６から出力する際に、音量操作の操作性および応答性が向上するとともに、高精度の音量調節が可能となる。
【０２０３】
（５）第４の実施の形態
図１４は本発明の第４の実施の形態に係るホームシアターシステム１の構成を示すブロック図である。
【０２０４】
図１４のホームシアターシステム１が図１のホームシアターシステム１と異なるのは次の点である。図１４のホームシアターシステム１では、ディスク記録再生装置５００にホームシアター装置２００がＨＤＭＩケーブル３２０により接続される。ディスク記録再生装置５００の構成は、第３の実施の形態におけるディスク記録再生装置５００の構成と同様である。ディスク記録再生装置５００は、通常再生モードおよびシアターモードに設定可能である。ホームシアター装置２００には、デジタルテレビ受信装置１００がＨＤＭＩケーブル３２０により接続される。
【０２０５】
本実施の形態に係るホームシアターシステム１では、ディスク記録再生装置５００が映像音声再生装置として用いられ、ホームシアター装置２００が音声出力制御装置として用いられ、デジタルテレビ受信装置１００の表示部１０３が表示部として用いられる。
【０２０６】
図１４のディスク記録再生装置５００により再生される映像データは、ＨＤＭＩケーブル３２０、ホームシアター装置２００およびＨＤＭＩケーブル３２０を通してデジタルテレビ受信装置１００に送信される。デジタルテレビ受信装置１００により受信された映像データは、表示部１０３（図２参照）に映像として表示される。
【０２０７】
ディスク記録再生装置５００が通常再生モードに設定されている場合には、ディスク記録再生装置５００により再生される音声データは、ＨＤＭＩケーブル３２０、ホームシアター装置２００およびＨＤＭＩケーブル３２０を通してデジタルテレビ受信装置１００に送信される。デジタルテレビ受信装置１００により受信された音声データは、音声出力部１０４（図２参照）により音声として出力される。
【０２０８】
ディスク記録再生装置５００がシアターモードに設定されている場合には、ディスク記録再生装置５００により再生される音声データは、デジタルテレビ受信装置１００からＨＤＭＩケーブル３２０を通してホームシアター装置２００に送信される。ホームシアター装置２００により受信された音声データは、スピーカー３１１〜３１６から音声として出力される。この場合、ディスク記録再生装置５００とホームシアター装置２００との間のＣＥＣコマンドの送受信は、第１または第２の実施の形態におけるデジタルテレビ受信装置１００とホームシアター装置２００との間のＣＥＣコマンドの送受信と同様である。
【０２０９】
本実施の形態では、ディスク記録再生装置５００のメモリ１０７にホームシアター装置２００の現在の音量制御状態データが記憶される。また、ディスク記録再生装置５００のＣＰＵ１０６の制御動作によりメモリ１０７に記憶された音量制御状態データに基づいてデジタルテレビ受信装置１００の表示部１０３の画面に音量バー表示が行われる。
【０２１０】
本実施の形態に係るホームシアターシステム１では、ディスク記録再生装置５００により再生される音声データに基づく音声をスピーカー３１１〜３１６から出力する際に、音量操作の操作性および応答性が向上するとともに、高精度の音量調節が可能となる。
【０２１１】
（６）他の実施の形態
上記第１、第２および第３の実施の形態では、デジタルテレビ受信装置１００とホームシアター装置２００とが通信媒体としてＨＤＭＩケーブル３２０により接続されているが、これに限定されない。例えば、デジタルテレビ受信装置１００とホームシアター装置２００とが無線通信によりＣＥＣコマンドを送受信してもよい。また、デジタルテレビ受信装置１００とホームシアター装置２００とが無線または有線のイーサネット（登録商標）等のネットワークにより接続されてもよい。
【０２１２】
同様に、上記第４の実施の形態において、ディスク記録再生装置５００とホームシアター装置２００とが無線通信によりＣＥＣコマンドを送受信してもよい。また、ディスク記録再生装置５００とホームシアター装置２００とが無線または有線のイーサネット（登録商標）等のネットワークにより接続されてもよい。さらに、ホームシアター装置２００とデジタルテレビ受信装置１００とがアナログの通信線により接続されてもよい。
【０２１３】
上記第１〜第５の実施の形態では、ＣＰＵ１０６およびメモリ１０７が音量制御の機能を実現するが、これに限定されず、ＣＰＵ１０６およびメモリ１０７が音量制御の機能に加えてデジタルテレビ受信装置１００の他の機能を実現するために用いられてもよい。
【０２１４】
上記第１〜第５の実施の形態では、調節可能範囲バー４０２および音量バー４０３が直線形状を有するが、調節可能範囲バー４０２および音量バー４０３が曲線形状を有してもよい。
【０２１５】
（７）請求項の各構成要素と実施の形態の各要素との対応
以下、請求項の各構成要素と実施の形態の各要素との対応の例について説明するが、本発明は下記の例に限定されない。
【０２１６】
第１および第２の実施の形態では、デジタルテレビ受信装置１００（表示部１０３を除く）が映像音声再生装置の例であり、デジタルテレビ受信装置１００の表示部１０３が表示部の例であり、コンテンツ供給源１１０が音声データ取得部の例であり、リモコン受光部１０８が音量操作情報取得部の例であり、ＨＤＭＩ送受信部１０５が第１の送受信部（または送受信部）の例であり、メモリ１０７が記憶部の例であり、ＣＰＵ１０６が第１の制御部（または制御部）の例である。
【０２１７】
第３の実施の形態では、デジタルテレビ受信装置１００（表示部１０３およびコンテンツ供給源１１０を除く）が映像音声再生装置の例であり、デジタルテレビ受信装置１００の表示部１０３が表示部の例であり、ディスク記録再生装置５００が音声データ取得部の例であり、デジタルテレビ受信装置１００のリモコン受光部１０８が音量操作情報取得部の例であり、デジタルテレビ受信装置１００のＨＤＭＩ送受信部１０５が第１の送受信部（または送受信部）の例であり、デジタルテレビ受信装置１００のメモリ１０７が記憶部の例であり、デジタルテレビ受信装置１００のＣＰＵ１０６が第１の制御部（または制御部）の例である。
【０２１８】
第４の実施の形態では、ディスク記録再生装置５００が映像音声再生装置の例であり、デジタルテレビ受信装置１００の表示部１０３が表示部の例であり、ディスク記録再生装置５００のコンテンツ供給源が音声データ取得部の例であり、ディスク記録再生装置５００のリモコン受光部１０８が音量操作情報取得部の例であり、ディスク記録再生装置５００のＨＤＭＩ送受信部１０５が第１の送受信部（または送受信部）の例であり、ディスク記録再生装置５００のメモリ１０７が記憶部の例であり、ディスク記録再生装置５００のＣＰＵ１０６が第１の制御部（または制御部）の例である。
【０２１９】
第１〜第４の実施の形態では、ホームシアター装置２００が音声出力制御装置の例であり、ＨＤＭＩケーブル３２０が通信媒体の例である。また、ホームシアター装置２００のＨＤＭＩ送受信部２０５が第２の送受信部（または送受信部）の例であり、アンプ２０３が増幅器の例であり、ＣＰＵ２０４が第２の制御部（または制御部）の例であり、音量操作部２０１が音量操作部の例である。
【０２２０】
ＣＥＣコマンドがコマンドの例であり、調節可能範囲バー４０２が第１のバーの例であり、音量バー４０３が第２のバーの例である。
【０２２１】
請求項の各構成要素として、請求項に記載されている構成または機能を有する他の種々の要素を用いることもできる。
【産業上の利用可能性】
【０２２２】
本発明は、音声の立体音響再生が可能な種々のホームシアターシステム等に広く利用できる。
【図１】
0005389183.tif 000002
【図２】
0005389183.tif 000003
【図３ａ】
0005389183.tif 000004
【図３ｂ】
0005389183.tif 000005
【図４】
0005389183.tif 000006
【図５】
0005389183.tif 000007
【図６】
0005389183.tif 000008
【図７】
0005389183.tif 000009
【図８】
0005389183.tif 000010
【図９】
0005389183.tif 000011
【図１０】
0005389183.tif 000012
【図１１】
0005389183.tif 000013
【図１２】
0005389183.tif 000014
【図１３】
0005389183.tif 000015
【図１４】
0005389183.tif 000016